(57)【要約】      （修正有）【課題】地域における二次システムが隣接する他の地域における通信システム、例えば、一次システムに干渉することが避けられ、スペクトル資源を合理的に利用することができる方法を提供する。【解決手段】スペクトル管理システムは、電気回路を備え、該電気回路は別のスペクトル管理システムから干渉情報を取得し、該干渉情報は、別のスペクトル管理システムに管理される通信システムの通信との干渉を示す。干渉は、スペクトル管理システムに管理される少なくとも1つの二次通信システムに引き起こされるものである。該電気回路は、さらに、干渉情報に基づき、少なくとも１つの二次通信システムの通信特性を修正する。【選択図】図１
2019024220.tif 000002
【特許請求の範囲】
【請求項１】
スペクトル管理システムであって、
別のスペクトル管理システムから干渉情報を受信し、
前記スペクトル管理システムから前記干渉情報を受信可能である第１の通信システムとの干渉を示す干渉応答を決定し、
決定された前記干渉応答を前記別のスペクトル管理システムに送信するよう構成された、回路を備えるスペクトル管理システム。
【請求項２】
前記回路は、少なくともひとつの二次通信システムに対応するスペクトル利用情報を前記別のスペクトル管理システムから受信するようにさらに構成される、請求項１に記載のスペクトル管理システム。
【請求項３】
二次通信システムであって、
前記二次通信システムによるスペクトル利用状況を示す情報を含むスペクトル利用情報をスペクトル管理システムに提供し、
決定された前記二次通信システムの通信特性情報を前記スペクトル管理システムから受信し、
決定された前記通信特性情報に基づいて、前記二次通信システムによるスペクトルの利用を決定するよう構成された、回路を備える二次通信システム。
【請求項４】
前記スペクトル利用情報は、利用可能な周波数帯域、利用可能な帯域幅、最大送信電力、スペクトル有効利用時間、地理的位置情報、及び前記二次通信システムと第１の通信システムとの間の距離の、少なくともひとつを含む、請求項３に記載の二次通信システム。
【請求項５】
前記二次通信システムは、第２の地域に位置する、請求項３に記載の二次通信システム。
【請求項６】
第１の通信システムは、第１の地域に位置する、請求項３に記載の二次通信システム。
【請求項７】
スペクトル管理システムであって、
前記スペクトル管理システムにより管理された二次通信システムの干渉情報を識別し、
前記干渉情報を別のスペクトル管理システムに提供し、
決定された干渉応答を前記別のスペクトル管理システムから受信し、
決定された前記干渉応答に基づいて前記二次通信システムの通信特性を決定するよう構成された、回路を備えるスペクトル管理システム。
【請求項８】
前記干渉情報は、少なくともひとつの前記二次通信システムからの干渉の集合である集合干渉を示し、
前記回路は、前記集合干渉を減少させるように前記二次通信システムの前記通信特性を決定する、請求項７に記載のスペクトル管理システム。
【請求項９】
前記干渉情報は、前記スペクトル管理システムにより管理されていない少なくともひとつの前記二次通信システムのための情報を含み、
前記回路は、前記情報に基づいて前記通信特性を決定する、請求項７に記載のスペクトル管理システム。
【請求項１０】
前記干渉情報は、少なくともひとつの前記二次通信システムの識別情報を含み、
前記回路は、前記識別情報を用いて少なくともひとつの前記二次通信システムを識別する、請求項７に記載のスペクトル管理システム。
【請求項１１】
前記干渉情報は、少なくともひとつの前記二次通信システムの前記通信特性のための通信特性情報を含み、
前記回路は、前記通信特性情報を用いて少なくともひとつの前記二次通信システムの前記通信特性を設定する、請求項７に記載のスペクトル管理システム。
【請求項１２】
前記回路は、前記干渉情報に基づいて通信特性情報を計算し、前記通信特性情報を用いて少なくともひとつの前記二次通信システムの前記通信特性を設定する、請求項７に記載のスペクトル管理システム。
【請求項１３】
スペクトル管理システムのための方法であって、
別のスペクトル管理システムから干渉情報を受信することと、
前記スペクトル管理システムから前記干渉情報を受信可能である第１の通信システムとの干渉を示す干渉応答を決定することと、
決定された前記干渉応答を前記別のスペクトル管理システムに送信することと、
を含む方法。
【請求項１４】
スペクトル管理システムのための方法であって、
前記スペクトル管理システムにより管理された二次通信システムの干渉情報を識別することと、
前記干渉情報を別のスペクトル管理システムに提供することと、
決定された干渉応答を前記別のスペクトル管理システムから受信することと、
決定された前記干渉応答に基づいて前記二次通信システムの通信特性を決定することと、
を含む方法。
【発明の詳細な説明】
【技術分野】
【０００１】
本発明は一般的に無線通信分野に関し、さらに具体的に一次システム及び二次システムを含む無線伝送システムにおけるスペクトル管理システム及び方法に関する。
【背景技術】
【０００２】
無線通信システムの発展につれて、高品質、高速度、及び新サービスに対するユーザの要求がますます高くなっている。無線通信事業者及びメーカーは、ユーザの要求を満たすようにシステムを継続的に改善する必要がある。この場合、新サービスをサポートして高速通信の要求を満たすように大量のスペクトル資源（時間、周波数、帯域幅、許容最大送信電力等で表される）が必要となる。しかしながら、限られたスペクトル資源は、一定の事業者及びサービスに割り当てられており、且つ新たな利用可能なスペクトルは稀で高価である。
【０００３】
これに鑑み、動的なスペクトル利用の概念が提供され、即ち、あるサービスに割り当てられたが、十分に利用されていないスペクトル資源を動的に利用する。例えば、デジタルテレビジョンとラジオスペクトルにおいて番組を放送していないチャンネルのスペクトル或いは隣接チャンネルのスペクトルを動的に利用し、テレビジョン信号の受信に干渉しない場合に、無線移動通信を行う。この応用例では、テレビジョンとラジオスペクトルそのものはテレビジョンとラジオシステムに割り当てられるものであるため、テレビジョンとラジオシステムは一次システム（primary  system）であり、テレビは主ユーザ（primary  user）である。また、移動通信システムは二次システム（secondary  system）であり、移動通信システムにおける受信機は二次ユーザ（secondary  user）である。ここで、一次システムは、スペクトル利用権を有するシステム、例えばテレビジョンとラジオシステムであり、二次システムは、スペクトル利用権を有しておらず、一次システムがそのスペクトルを利用していない場合に該スペクトルを適切に利用するシステムである。
【０００４】
また、一次システム及び二次システムはともにスペクトル利用権を有するシステムであってもよいが、スペクトル利用には異なる優先度を有する。例えば、事業者は新規サービスを提供するように新規基地局を配置する場合、既存の基地局及びそのサービスはスペクトル利用の優先権を有する。一次システムは一次ユーザ基地局（primary  user  base  station）と一次ユーザからなり、二次システムは、二次ユーザ基地局（secondary  user  base  station）と二次ユーザからなる。二次ユーザ基地局と１つ又は複数の二次ユーザ、或いは複数の二次ユーザとの間の通信は１つの二次システムを構成する。複数の二次システムは、一定の地域内に１つの二次システムクラスタに区分されてもよい。例えば、１つの二次システムクラスタは、複数の無線ローカルエリアネットワークを備えてもよい。
【０００５】
このような一次システム及び二次システムが共存する通信方式は、二次システムの応用が一次システムの応用に干渉せず、或いは二次システムのスペクトル利用による影響が一次システムの許容範囲内に制御されることを要求する。
【０００６】
現在では、一次システムを保護する主要な方式の1つは、一次システムのカバレッジ情報をデータベースに記憶することである。このデータベースには、一次システムの許容干渉限界がさらに記憶されている。同一地域における二次システムは、同一地域における一次システムのスペクトルを利用する前に該データベースにアクセスして二次システムの情報、例えば位置情報、スペクトルエミッションマスク（spectrum  emission  mask）、伝送帯域幅及び搬送周波数等を提出する必要がある。そして、データベースは一次システムの最大干渉許容限界（maximum  interference  tolerance  limit）、及び同一地域における一次システムと二次システムとの距離等により、一次システムが干渉されない場合に許容する二次ユーザシステムの最大送信電力及び帯域幅等を算出する。
【発明の概要】
【発明が解決しようとする課題】
【０００７】
ところが、背景技術では、各地域における一次システム及び二次システムは異なるデータベースにより管理され、即ち、異なるデータベースには各地域における一次システム及び二次システムが記憶されている。異なるデータベースは異なる二次システム利用可能スペクトルの算出方式を採用するおそれがあるため、異なる地域のエッジにある二次システムは、各地域のデータベースに提供される利用可能スペクトル資源により伝送する場合、本データベースに登録されていない隣接の他の地域にある通信システム、例えば、一次システムに干渉するおそれがある。一方、データベースは、他のデータベースに登録される二次システムからの干渉を知らないままにそれに管理される二次システムの利用可能スペクトル資源を算出する。よって、二次システムは算出された利用可能なスペクトル資源を利用する場合、該データベースに管理される一次システムに対する有害な干渉を依然として引き起こすおそれもある。これに鑑み、本発明者は上記発見により本発明を作った。本発明によれば、地域における二次システムが隣接する他の地域における通信システム、例えば、一次システムに干渉することが避けられ、スペクトル資源を合理的に利用することができる。
【課題を解決するための手段】
【０００８】
１つの例示的な態様によれば、スペクトル管理システムは、電気回路を備え、前記電気回路は、別のスペクトル管理システムから干渉情報を取得し、前記干渉情報は、前記別のスペクトル管理システムに管理される通信システムの通信との干渉を示す。前記干渉は、前記スペクトル管理システムに管理される少なくとも１つの二次通信システムに引き起こされるものである。前記電気回路は、さらに、前記干渉情報に基づき、前記少なくとも１つの二次通信システムの通信特性を修正する。
【０００９】
別の例示的な態様によれば、スペクトル管理システムは、電気回路を備え、前記電気回路は、前記スペクトル管理システムに管理される通信システムの通信との干渉を識別し、前記干渉は別のスペクトル管理システムに管理される少なくとも１つの二次通信システムに由来する。前記電気回路は、さらに、識別された干渉に基づいて干渉情報を生成し、前記干渉情報を前記別のスペクトル管理システムに提供する。
【００１０】
さらに別の例示的な態様によれば、スペクトル管理システムに用いる方法は、前記スペクトル管理システムの電気回路を用いて、別のスペクトル管理システムから前記別のスペクトル管理システムに管理される通信システムの通信との干渉を示す干渉情報を取得するステップを備える。前記干渉は、前記スペクトル管理システムに管理される少なくとも１つの二次通信システムにより引き起こされるものである。前記方法は、前記干渉情報に基づき、前記少なくとも１つの二次通信システムの通信特性を修正するステップをさらに備える。
【００１１】
当然ながら、上記方法は、コンピュータ可読な命令として非一時的なコンピュータ可読媒体に含まれても良い。前記コンピュータ可読な命令がコンピュータに実行されることにより、前記方法はコンピュータに実行される。
【００１２】
別の例示的な態様によれば、スペクトル管理システムに用いる方法は、前記スペクトル管理システムの電気回路を用いて、前記スペクトル管理システムに管理される通信システムの通信との干渉を識別するステップを備える。前記干渉は別のスペクトル管理システムに管理される二次通信システムに由来する。前記方法は、識別された干渉に基づいて干渉情報を生成するステップと、前記干渉情報を前記別のスペクトル管理システムに提供するステップと、をさらに備える。
【００１３】
当然ながら、上記方法は、コンピュータ可読な命令として非一時的なコンピュータ可読媒体に含まれても良い。前記コンピュータ可読な命令がコンピュータに実行されることにより、前記方法はコンピュータに実行される。
【００１４】
以下、本発明において改善される附加的な例示的な面を説明する。説明的なものであるが、下記の説明は、請求項に限定される発明の特徴を限定するものではない。
【００１５】
別の例示的な方面によれば、無線通信システムにおける装置であって、１つ又は複数の第２の地域の中の少なくとも幾つかより第１の地域における二次システムのスペクトル利用情報を修正する参考情報を受信し、前記１つ又は複数の第２の地域の中の少なくとも幾つは、該地域における一次システムは前記第１の地域における二次システムのスペクトル利用情報により前記第１の地域における二次システムに干渉されると判定される地域である受信ユニットと、受信した参考情報により、前記第１の地域における二次システムのスペクトル利用情報を修正する管理ユニットと、を備える。
【００１６】
上述した装置によれば、前記スペクトル利用情報は、実際のスペクトル利用情報及び利用可能スペクトル情報の中の少なくとも１つを備え、前記第１の地域における二次システムの利用可能スペクトル情報は、前記第１の地域における二次システムの地理的位置情報及び前記第１の地域における一次システムのサービス範囲情報により確定される。
【００１７】
上述した装置によれば、前記第１の地域における二次システムのスペクトル利用情報は、周波数帯域、帯域幅、送信電力及びスペクトル利用時間の中の少なくとも１つを備える。
【００１８】
上述した装置によれば、前記参考情報は、前記第１の地域における二次システムに干渉される、１つ又は複数の第２の地域における一次システムのサービス範囲情報、及び１つ又は複数の第２の地域における一次システムに干渉する二次システムの二次システム関連情報の中の少なくとも１つを備える。
【００１９】
上述した装置によれば、１つ又は複数の第２の地域における一次システムを前記第１の地域における二次システムに干渉させないように、前記第１の地域における二次システムに干渉される、１つ又は複数の第２の地域における一次システムの動作状况情報により、前記第１の地域における二次システムのスペクトル利用情報を修正し、前記第１の地域における二次システムに干渉される、１つ又は複数の第２の地域における一次システムは、１つ又は複数の第２の地域における一次システムのサービス範囲情報、及び前記第１の地域における二次システムのスペクトル利用情報により確定された前記第１の地域における二次システムの第１レベルの干渉範囲情報により確定される。
【００２０】
上述した装置によれば、前記１つ又は複数の第２の地域の中の少なくとも幾つかは、前記第１の地域における二次システムのスペクトル利用情報、及び前記第１の地域における他の二次システム及び／又は前記１つ又は複数の第２の地域における二次システムのスペクトル利用情報により、それにおける一次システムが前記第１の地域における二次システムに集合干渉されると判定される地域である。
【００２１】
上述した装置によれば、１つ又は複数の第２の地域における一次システムを前記第１の地域における二次システムに集合干渉させないように、前記第１の地域における二次システムに集合干渉される、１つ又は複数の第２の地域における一次システムの動作状况情報、及び前記第１の地域における二次システムに集合干渉される、１つ又は複数の第２の地域における一次システムに干渉する二次システムの干渉状況情報により、前記第１の地域における二次システムのスペクトル利用情報を修正し、前記第１の地域における二次システムに集合干渉される、１つ又は複数の第２の地域における一次システムは、１つ又は複数の第２の地域における一次システムのサービス範囲情報、及び前記第１の地域における二次システムのスペクトル利用情報により確定された前記第１の地域における二次システムの第２レベルの干渉範囲情報により確定される。
【００２２】
上述した装置によれば、前記第１の地域における二次システムに集合干渉される、１つ又は複数の第２の地域における一次システムに干渉する二次システムの干渉状況情報は、前記第２の地域内の登録ユニットに記録される前記第２の地域における一次システムのサービス範囲において異なる位置で受ける前記第２の地域における二次システム及び他の地域における二次システムからの干渉状況情報を問い合わせることにより取得される。
【００２３】
上述した装置によれば、前記第２の地域における二次システムからの干渉状況情報は、前記第２の地域における一次システムに対する前記第２の地域における二次システムの干渉量及び／又は前記第２の地域における二次システムのスペクトル利用時間を備え、他の地域における二次システムからの干渉状況情報は、前記他の地域の地域識別子及び他の地域における二次システムの二次システム識別子を備える。
【００２４】
上述した装置によれば、前記管理ユニットは、前記第１の地域における一次システムのスペクトル利用期限、及び前記第１の地域における二次システムに干渉される、１つ又は複数の第２の地域における一次システムのスペクトル利用期限により、前記第１の地域における二次システムのスペクトル利用有効時間を確定する二次システムのスペクトル利用時間確定ユニットをさらに備える。
【００２５】
上述した装置によれば、前記受信ユニットは、さらに、前記第１の地域における二次システムから前記第１の地域における二次システムに推定される二次システムのスペクトル利用継続期間を受信し、前記二次システムのスペクトル利用時間確定ユニットは、さらに、確定された前記二次システムのスペクトル利用有効時間及び前記二次システムのスペクトル利用継続期間により、前記第１の地域における二次システムのスペクトル利用時間を修正する。
【００２６】
上述した装置によれば、前記二次システムのスペクトル利用継続期間は、前記第１の地域における二次システムのスペクトル利用情報及び前記第１の地域における二次システムの応用タイプ（application  type）により推定される。
【００２７】
上述した装置によれば、前記第１の地域における一次システムのサービス範囲において異なる位置で受ける前記第１の地域における二次システム及び他の地域における二次システムからの干渉状況情報を記録する登録ユニットをさらに備える。
【００２８】
上述した装置によれば、前記第１の地域における二次システムからの干渉状況情報は、前記第１の地域における一次システムに対する前記第１の地域における二次システムの干渉量及び／又は前記第１の地域における二次システムのスペクトル利用時間を備え、他の地域における二次システムからの干渉状況情報は、前記他の地域の地域識別子及び他の地域における二次システムの二次システム識別子を備える。
【００２９】
上述した装置によれば、前記第１の地域は前記第１の地域の地域識別子及び前記第１の地域における二次システムの二次システム識別子を１つ又は複数の第２の地域に送信する。
【００３０】
上述した装置によれば、前記第１の地域及び前記１つ又は複数の第２の地域における二次システムの伝送マスク（transmission  masks）の記述及びそれに対応する識別子を記憶する記憶ユニットをさらに備える。
【００３１】
上述した装置によれば、前記記憶ユニットに記憶される前記１つ又は複数の第２の地域における二次システムの伝送マスク又は周波数帯域の記述及びその対応する識別子により、１つ又は複数の第２の地域からの二次システムの伝送マスクの識別子を対応する二次システムの伝送マスクの記述に変換する変換ユニットをさらに備える。
【００３２】
別の例示的な態様によれば、無線通信システムに用いる方法であって、１つ又は複数の第２の地域の中の少なくとも幾つかから第１の地域における二次システムのスペクトル利用情報を修正する参考情報を受信し、前記１つ又は複数の第２の地域の中の少なくとも幾つかは、それにおける一次システムが前記第１の地域における二次システムのスペクトル利用情報により前記第１の地域における二次システムに干渉されると判定される地域である受信ステップと、受信した参考情報により、前記第１の地域における二次システムのスペクトル利用情報を修正する管理ステップと、を備える。
【００３３】
さらに別の例示的な態様によれば、無線通信システムにおける装置であって、前記第１の地域における二次システムのスペクトル利用情報を取得する取得ユニットと、前記第１の地域における二次システムのスペクトル利用情報により前記第１の地域における二次システムは第２の地域における一次システムに干渉しているか否かを判定する管理ユニットと、前記第１の地域における二次システムが前記第２の地域における一次システムに干渉する場合、前記第１の地域における二次システムのスペクトル利用情報を修正する参考情報を前記第１の地域に送信する送信ユニットと、を備える。
【００３４】
上述した装置によれば、前記参考情報は、前記第１の地域における二次システムに干渉される、第２の地域における一次システムのサービス範囲情報、及び第２の地域における一次システムに干渉する二次システムの二次システム関連情報の中の少なくとも１つを備える。
【００３５】
上述した装置によれば、第２の地域における一次システムのサービス範囲情報、及び前記第１の地域における二次システムのスペクトル利用情報に基づいて確定された前記第１の地域における二次システムの第１レベルの干渉範囲情報により、前記第１の地域における二次システムに干渉される、第２の地域における一次システムをサーチし、第２の地域における一次システムを前記第１の地域における二次システムに干渉させないように、前記第１の地域における二次システムに干渉される、第２の地域における一次システムの動作状况情報により、前記第１の地域における二次システムのスペクトル利用情報を修正する。
【００３６】
上述した装置によれば、前記第１の地域における二次システムのスペクトル利用情報、及び前記第１の地域における他の二次システム及び／又は１つ又は複数の前記第２の地域における二次システムのスペクトル利用情報により、前記第１の地域における二次システムが前記第２の地域における一次システムに集合干渉しているか否かを判定する。
【００３７】
上述した装置によれば、第２の地域における一次システムのサービス範囲情報、及び前記第１の地域における二次システムのスペクトル利用情報により確定された前記第１の地域における二次システムの第２レベルの干渉範囲情報により、前記第１の地域における二次システムに集合干渉される、第２の地域における一次システムをサーチし、第２の地域における一次システムを前記第１の地域における二次システムに集合干渉させないように、前記第１の地域における二次システムに集合干渉される、第２の地域における一次システムの動作状况情報、及び前記第１の地域における二次システムに集合干渉される、第２の地域における一次システムに干渉する二次システムの干渉状況情報により、前記第１の地域における二次システムのスペクトル利用情報を修正する。
【００３８】
上述した装置によれば、前記第２の地域内の登録ユニットに記録される前記第２の地域における一次システムのサービス範囲において異なる位置で受ける前記第２の地域における二次システム及び他の地域における二次システムからの干渉状況情報により、前記第１の地域における二次システムに集合干渉される、第２の地域における一次システムに干渉する二次システムの干渉状況情報を取得する。
【００３９】
上述した装置によれば、前記第２の地域における二次システムの干渉状況情報は、前記第２の地域における一次システムに対する前記第２の地域における二次システムの干渉量及び／又は前記第２の地域における二次システムのスペクトル利用時間を備え、他の地域における二次システムの干渉状況情報は、前記他の地域の地域識別子及び他の地域における二次システムの二次システム識別子を備える。
【００４０】
上述した装置によれば、前記取得ユニットは、前記第１の地域の地域識別子及び前記第１の地域における二次システムの二次システム識別子をさらに取得する。
【００４１】
上述した装置によれば、前記第２の地域における一次システムのサービス範囲において異なる位置で受ける前記第２の地域における二次システム及び他の地域における二次システムからの干渉状況情報を記録する登録ユニットをさらに備える。
【００４２】
上述した装置によれば、前記第２の地域における二次システムからの干渉状況情報は、前記第２の地域における一次システムに対する前記第２の地域における二次システムの干渉量及び／又は前記第２の地域における二次システムのスペクトル利用時間を備え、他の地域における二次システムからの干渉状況情報は、前記他の地域の地域識別子及び他の地域における二次システムの二次システム識別子を備える。
【００４３】
上述した装置によれば、前記第１の地域及び前記第２の地域における二次システムの伝送マスクの記述及び対応する識別子を記憶する記憶ユニットをさらに備える。
【００４４】
さらに別の例示的な方面によれば、無線通信システムに用いる方法であって、前記第１の地域における二次システムのスペクトル利用情報を取得する取得ステップと、前記第１の地域における二次システムのスペクトル利用情報により前記第１の地域における二次システムが第２の地域における一次システムに干渉しているか否かを判定する管理ステップと、前記第１の地域における二次システムが前記第２の地域における一次システムに干渉する場合、前記第１の地域における二次システムのスペクトル利用情報を修正する参考情報を前記第１の地域に送信する送信ステップと、を備える。
【００４５】
さらに別の例示的な態様によれば、無線通信システムにおける装置であって、前記第１の地域から参考情報により修正された前記第１の地域における二次システムのスペクトル利用情報を受信し、前記参考情報は前記第１の地域が１つ又は複数の第２の地域の中の少なくとも幾つかから受信したものであり、前記１つ又は複数の第２の地域の中の少なくとも幾つかは、それにおける一次システムは前記第１の地域における二次システムのスペクトル利用情報により前記第１の地域における二次システムに干渉されると判定される地域である受信ユニットと、修正後の前記第１の地域における二次システムのスペクトル利用情報により前記第１の地域における二次システムのユーザ装置と通信する実行ユニットと、を備える。
【００４６】
上述した装置によれば、前記第１の地域における二次システムのスペクトル利用情報及び前記第１の地域における二次システムの応用タイプにより二次システムのスペクトル利用継続期間を推定する二次システムのスペクトル利用継続期間推定ユニットをさらに備える。
【００４７】
上述した装置によれば、推定された二次システムのスペクトル利用継続期間を前記第１の地域に送信する送信ユニットをさらに備える。
【００４８】
上述した装置によれば、前記第１の地域における一次システム及び二次システムのスペクトル利用状況が前記二次システムのスペクトル利用継続期間又はスペクトル利用可能期限内での変化により、前記第１の地域における二次システムのスペクトル利用を修正する二次システムのスペクトル利用時間修正ユニットをさらに備える。
【００４９】
別の例示的な方面によれば、無線通信システムに用いる方法であって、前記第１の地域から参考情報によって修正された前記第１の地域における二次システムのスペクトル利用情報を受信し、前記参考情報は前記第１の地域が１つ又は複数の第２の地域の中の少なくとも幾つかから受信したものであり、前記１つ又は複数の第２の地域の中の少なくとも幾つかは、それにおける一次システムは前記第１の地域における二次システムのスペクトル利用情報により前記第１の地域における二次システムに干渉されると判定される地域である受信ステップと、修正後の前記第１の地域における二次システムのスペクトル利用情報により、前記第１の地域における二次システムのユーザ装置と通信する実行ステップと、を備える。
【００５０】
別の例示的な態様によれば、コンピュータ可読命令を有するコンピュータ記憶媒体であって、コンピュータ命令により、コンピュータに、１つ又は複数の第２の地域の中の少なくとも幾つかから第１の地域における二次システムのスペクトル利用情報を修正する参考情報を受信し、前記１つ又は複数の第２の地域の中の少なくとも幾つかは、それにおける一次システムは前記第１の地域における二次システムのスペクトル利用情報により前記第１の地域における二次システムに干渉されると判定される地域である接收ステップと、受信した参考情報により、前記第１の地域における二次システムのスペクトル利用情報を修正する管理ステップと、を実行させる。
【００５１】
さらに別の例示的な態様によれば、コンピュータ可読命令を有するコンピュータ記憶媒体であって、コンピュータ命令により、コンピュータに、第１の地域から前記第１の地域における二次システムのスペクトル利用情報を受信する接收ステップと、前記第１の地域における二次システムのスペクトル利用情報により前記第１の地域における二次システムは第２の地域における一次システムに干渉しているか否かを判定する管理ステップと、前記第１の地域における二次システムは前記第２の地域における一次システムに干渉する場合、前記第１の地域における二次システムのスペクトル利用情報を修正する参考情報を前記第１の地域に送信する送信ステップと、を実行させる。
【００５２】
別の例示的な態様によれば、コンピュータ可読命令を有するコンピュータ記憶媒体であって、コンピュータ命令により、コンピュータに、前記第１の地域から参考情報によって修正された前記第１の地域における二次システムのスペクトル利用情報を受信し、前記参考情報は前記第１の地域が１つ又は複数の第２の地域の中の少なくとも幾つかから受信したものであり、前記１つ又は複数の第２の地域の中の少なくとも幾つかは、それにおける一次システムは前記第１の地域における二次システムのスペクトル利用情報により前記第１の地域における二次システムに干渉されると判定される地域である受信ステップと、修正後の前記第１の地域における二次システムのスペクトル利用情報により前記第１の地域における二次システムのユーザ装置と通信する実行ステップと、を実行させる。
【発明の効果】
【００５３】
本発明によれば、１つの地域における二次システムは隣接する他の地域における通信システム、例えば一次システムに干渉することを少なくとも防止でき、スペクトル資源を合理的に利用することができる。
【図面の簡単な説明】
【００５４】
図面を参照して以下の詳しい説明を参照すると、本発明の上記及びその他の目的をさらに理解することができる。図面において、同じ又は類似の符号で同じ又は類似の部材を表している。
【図１】本発明実施例に係る無線通信システムにおける装置の構成を示すブロック図である。
【図２】本発明実施例に係る二次システムの第１レベルの干渉範囲により二次システムのスペクトル利用情報を修正することを示す概略図である。
【図３】本発明実施例に係る二次システムの第１レベルの干渉範囲により二次システムのスペクトル利用情報を修正する１つの方式を示す概略図である。
【図４】本発明実施例に係る二次システムの第１レベルの干渉範囲により二次システムのスペクトル利用情報を修正する別の方式を示す概略図である。
【図５】本発明実施例に係る二次システムの第２レベルの干渉範囲により二次システムのスペクトル利用情報を修正することを示す概略図である。
【図６】本発明実施例に係る二次システムの第２レベルの干渉範囲により干渉している二次システムをサーチすることを示す概略図である。
【図７】本発明実施例に係る二次システムの第２レベルの干渉範囲により二次システムのスペクトル利用情報を修正する１つの方式を示す概略図である。
【図８】本発明実施例に係る二次システムの第２レベルの干渉範囲により二次システムのスペクトル利用情報を修正する別の方式を示す概略図である。
【図９】図１に示す管理ユニットの構成を示すブロック図である。
【図１０】本発明の別の実施例に係る無線通信システムにおける装置の構成を示すブロック図である。
【図１１】本発明実施例に係る二次システムの干渉情報を記録することを示す概略図である。
【図１２】本発明の別の実施例に係る無線通信システムにおける装置の構成を示すブロック図である。
【図１３】本発明実施例に係る無線通信システムに用いる方法を示すフローチャートである。
【図１４】本発明実施例に係る無線通信システムにおける装置の構成を示すブロック図である。
【図１５】本発明の別の実施例に係る無線通信システムにおける装置の構成を示すブロック図である。
【図１６】本発明のさらに別の実施例に係る無線通信システムにおける装置の構成を示すブロック図である。
【図１７】本発明の別の実施例に係る無線通信システムに用いる方法を示すフローチャートである。
【図１８】本発明実施例に係る無線通信システムにおける装置の構成を示すブロック図である。
【図１９】本発明の別の実施例に係る無線通信システムにおける装置の構成を示すブロック図である。
【図２０】本発明の別の実施例に係る無線通信システムにおける装置の構成を示すブロック図である。
【図２１】本発明のさらに別の実施例に係る無線通信システムにおける装置の構成を示すブロック図である。
【図２２】本発明実施例に係る無線通信システムに用いる方法を示すフローチャートである。
【図２３】本発明実施例に係る応用例を示す概略図である。
【図２４】本発明の実施例を実行可能な情報処理装置を示す概略的なブロック図である。
【発明を実施するための形態】
【００５５】
以下、図面を参照して本発明の実施例を説明する。明瞭なために、図面及び明細書には、本発明と関係なく、当業者が既知の部材及び処理に対する図示及び説明が省略された。
【００５６】
以下、図１を参照して本発明実施例に係る無線通信システムにおける装置の構成を説明する。図１は本発明実施例に係る無線通信システムにおける装置の構成を示すブロック図である。
【００５７】
図１に示すように、無線通信システムにおける装置１００は受信ユニット１０２及び管理ユニット１０４を備えてもよい。
【００５８】
本発明の１つの具体的な実施例によれば、第１の地域は第１の地域における二次システムのスペクトル利用情報を１つ又は複数の第２の地域に送信することができる。また、本発明の別の具体的な実施例によれば、１つ又は複数の第２の地域は、第１の地域における二次システムのスペクトル利用情報を検出することができる。例えば、第２の地域は、そのカバレッジ範囲における異なる位置で信号測定結果を収集し、信号測定結果により第１の地域における二次システムのスペクトル利用情報を検出することができる。
【００５９】
図２に示すように、図２の左側に示す地域１は、１つの一次システム１及び３つの二次システムａ、ｂ、ｃを備え、図２の右側に示す地域２は、１つの一次システム２及び２つの二次システムｅ、ｄを備える。地域１における二次システムａ、ｂ、ｃは、データベース１に記録されるスペクトル資源により地域１における一次システム１のスペクトル資源を利用することができる。地域２における二次システムｅ、ｄは、データベース２に記録されるスペクトル資源により地域２における一次システム２のスペクトル資源を利用することができる。ここで、地域１及び２は例示的なものに過ぎず、地域の数は図２に示す２つに限らず、任意の数であってもよく、地域１における二次システムａ、ｂ、ｃ及び地域２における二次システムｅ、ｄは例示的なものに過ぎず、同じ地域における二次システムの数は図２に示す３つ又は２つに限らず、任意の数であってもよく、また、地域１における一次システム１及び地域２における一次システム２は例示的なものに過ぎず、同じ地域における一次システムの数は、図２に示す１つに限らず、任意の数であってもよい。本発明の１つの具体的な実施例では、一次システムはテレビジョンとラジオシステムであってもよく、二次システムは無線ローカルエリアネットワーク（ＷＬＡＮ）システムであってもよく、異なる地域は異なる国家又は地域に対応しても良い。
【００６０】
上述のように、異なる地域のエッジにある二次システムは各地域のデータベースに提供される利用可能スペクトル資源により伝送する場合、本データベースに登録していない隣接の他の地域内にある一次システムに干渉するおそれがある。例えば、図２に示すように、地域１における二次システムａ、ｂ、ｃはデータベース１に記録されるスペクトル資源により伝送する場合、地域２における一次システム２に干渉するおそれがある。さらに例えば、地域２における二次システムｄ、ｅはデータベース２に記録されるスペクトル資源により伝送する場合、地域１における一次システム１に干渉するおそれがある。また、地域１における二次システムａ、ｂ、ｃはデータベース１に記録されるスペクトル資源により伝送し、地域２における二次システムｄ、ｅはデータベース２に記録されるスペクトル資源により伝送する場合、地域１における二次システムａ、ｂ、ｃ及び地域２中的二次システムｄ、ｅは地域１における一次システム１及び地域２における一次システム２に集合干渉するおそれがあり、生成された集合干渉は地域１における一次システム１及び地域２における一次システム２の耐干渉閾値を超えるおそれがある。ここで、該例示では、各地域は１つのスペクトル管理システムに対応する。よって、例えば、地域Ｎにおける二次システムはスペクトル管理システムＮに管理される二次システムと看做されてもよい。
【００６１】
ある地域における二次システムが他の地域における一次システムに対する干渉を考慮する場合、該二次システムが位置する地域は第１の地域と称され、該二次システムが位置する地域以外の全ての他の地域は第２の地域と称されても良い。例えば、図２に示す例示では、地域１における二次システムａ、ｂ、ｃが地域２における一次システム２に対する干渉を考慮する場合、二次システムａ、ｂ、ｃが位置する地域１は第１の地域と称され、二次システムａ、ｂ、ｃが位置する地域１以外の地域２は第２の地域と称されても良い。さらに例えば、地域１における一次システム１に対する地域２における二次システムｄ、ｅの干渉を考慮すると、二次システムｄ、ｅが位置する地域２は第１の地域と称され、二次システムｄ、ｅが位置する地域２以外の地域１は第２の地域と称されても良い。ここで、第２の地域の数は１つであっても複数であってもよい。
【００６２】
本発明の１つの実施例によれば、スペクトル利用情報は、実際のスペクトル利用情報及び利用可能スペクトル情報の中の少なくとも１つを備え、第１の地域における二次システムの利用可能スペクトル情報は、第１の地域における一次システムに干渉しないことを確保するために、第１の地域における二次システムの地理的位置情報及び第１の地域における一次システムのサービス範囲情報により確定される。
【００６３】
第１の地域における二次システムの利用可能スペクトル情報は、第１の地域における二次システムが第１の地域における一次システムに干渉しない場合に許容される二次システムの最大送信電力及び帯域幅等である。無線信号伝送のパスフェージングによって、第１の地域における二次システムの利用可能スペクトル情報は第１の地域における二次システムと一次システムとの間の距離等の要素に影響される。第１の地域における二次システムの地理的位置情報及び第１の地域における一次システムのサービス範囲情報により、第１の地域における二次システムと一次システムとの間の距離等を確定することができる。よって、確定された第１の地域における二次システムと一次システムとの間の距離等により、第１の地域における二次システムの利用可能スペクトル情報を確定することができる。例えば、図２に示す例示では、地域１における二次システムａの利用可能スペクトル情報は、地域１における一次システム１に干渉しないことを確保するように、地域１における二次システムａの地理的位置情報及び地域１における一次システム１のサービス範囲情報により確定されてもよい。さらに例えば、地域２における二次システムｄの利用可能スペクトル情報は地域２における一次システム２に干渉しないことを確保するために、地域２における二次システムｄの地理的位置情報及び地域２における一次システム２のサービス範囲情報により確定されてもよい。さらに、スペクトル資源に対する第１の地域における一次システムの利用計画により、利用可能スペクトル情報の１種として、第１の地域における二次システムのスペクトル利用有効時間を確定しても良い。
【００６４】
ここで、上述したスペクトル利用情報は、ある地域における二次システムの利用可能スペクトル情報であってもよいし、該地域における二次システムの実際のスペクトル利用情報であってもよく、或いはそれらをともに備えてもよい。ある地域における二次システムが実際に利用しているスペクトル資源は、利用可能スペクトル資源の一部であっても全部であってもよく、例えば該地域における一次システムの動作状態が急に変化する場合、該地域における二次システムが実際に利用しているスペクトル資源は利用可能スペクトル資源と一致しない可能性もある。本発明の１つの実施例によれば、第１の地域における二次システムのスペクトル利用情報は周波数帯域、帯域幅、送信電力及びスペクトル利用時間の中の少なくとも１つを備える。具体的に、第１の地域における二次システムの利用可能スペクトル情報は利用可能周波数帯域、利用可能帯域幅、最大送信電力及びスペクトル有効利用時間の中の少なくとも１つを備える。ここで、上述したスペクトル利用情報は例示的なものに過ぎず、包括的なものではない。
【００６５】
図１に示すように、装置１００における受信ユニット１０２は、１つの又は複数の第２の地域の中の少なくとも幾つかから第１の地域における二次システムのスペクトル利用情報を修正する参考情報を受信し、１つ又は複数の第２の地域の中の少なくとも幾つかは、それにおける一次システムは第１の地域における二次システムのスペクトル利用情報により第１の地域における二次システムに干渉されると判定される地域である。
【００６６】
第１の地域は第１の地域における二次システムのスペクトル利用情報を１つ又は複数の第２の地域に送信した後、１つ又は複数の第２の地域は第１の地域における二次システムのスペクトル利用情報を受信することができ、或いは１つ又は複数の第２の地域は第１の地域における二次システムのスペクトル利用情報を検出することができる。第２の地域は、受信した又は検出した第１の地域における二次システムのスペクトル利用情報により、第１の地域における二次システムが該第２の地域における一次システムに干渉しているか否かを判定することができる。第２の地域は、受信した又は検出した第１の地域における二次システムのスペクトル利用情報により、第１の地域における二次システムが該第２の地域における一次システムに干渉していると判定する場合、該第２の地域は、第１の地域における二次システムのスペクトル利用情報を修正するための参考情報を第１の地域に送信することができる。また、第２の地域は受信した又は検出した第１の地域における二次システムのスペクトル利用情報により第１の地域における二次システムが該第２の地域における一次システムに干渉していないと判定する場合、第１の地域における二次システムに生じる干渉を考慮する場合に該第２の地域を考慮しなくてもよいので、該第２の地域は何の動作も実行しなくてもよい。第２の地域は第１の地域における二次システムのスペクトル利用情報を修正するための参考情報を第１の地域に送信した場合、第１の地域は該参考情報を受信してもよい。第１の地域における二次システムの修正後のスペクトル利用情報は、第１の地域における二次システムは第１の地域及び第２の地域における一次システムをともに干渉しない場合の送信電力、帯域幅、周波数帯域等であり、例えば二次システムの許容される最大送信電力及び帯域幅等であってもよい。
【００６７】
例えば、図２に示す例示では、地域１は地域１における二次システムｂのスペクトル利用情報を地域２に送信した場合、地域２は地域１における二次システムｂのスペクトル利用情報を受信し、或いは地域１における二次システムｂのスペクトル利用情報を検出してもよい。地域２は地域１における二次システムｂのスペクトル利用情報により地域１における二次システムｂが地域２における一次システム２に干渉しているか否かを判定することができる。地域２は地域１における二次システムｂが地域２における一次システム２に干渉していると判定する場合、地域２は地域１における二次システムｂのスペクトル利用情報を修正するための参考情報を地域１に送信する。地域２は地域１における二次システムｂが地域２における一次システム２に干渉していないと判定する場合、地域１における二次システムｂの干渉を考慮する場合に地域２を考慮しなくてもよいので、地域２は何の動作もしなくても良い。地域２は地域１における二次システムｂのスペクトル利用情報を修正するための参考情報を地域１に送信した場合、地域１は該参考情報を受信してもよい。
【００６８】
類似するように、図２に示す例示では、地域２は地域２における二次システムｄのスペクトル利用情報を地域１に送信した場合、地域１は地域２における二次システムｄのスペクトル利用情報を受信し、或いは、地域２における二次システムｄのスペクトル利用情報を検出してもよい。地域１は、地域２における二次システムｄのスペクトル利用情報により地域２における二次システムｄが地域１における一次システム１に干渉しているか否かを判定することができる。地域１は地域２における二次システムｄが地域１における一次システム１に干渉していると判定する場合、地域１は地域２における二次システムｄのスペクトル利用情報を修正するための参考情報を地域２に送信する。地域１は地域２における二次システムｄが地域１における一次システム１に干渉していないと判定する場合、地域２における二次システムｄの干渉を考慮する場合に地域１を考慮しなくても良いので、地域１は何の動作もしなくてもよい。地域１は地域２における二次システムｄのスペクトル利用情報を修正するための参考情報を地域２に送信した場合、地域２は該参考情報を受信してもよい。
【００６９】
本発明の１つの実施例によれば、参考情報は、第１の地域における二次システムに干渉される、１つ又は複数の第２の地域における一次システムのサービス範囲情報、及び１つ又は複数の第２の地域における一次システムに干渉する二次システムの二次システム関連情報の中の少なくとも１つを備える。ここで、参考情報は二次システムに起因する、異なるスペクトル管理システムに管理される通信システム、例えば、一次システムの通信に対する干渉を指す。本発明の説明において、該特徴は干渉情報とも称される。
【００７０】
上述のように、第１の地域における二次システムの修正後のスペクトル利用情報は、第１の地域における二次システムが第１の地域及び第２の地域における一次システムをともに干渉しない場合の送信電力、帯域幅、周波数帯域等である。無線信号伝送のパスフェージングにより、第１の地域における二次システムのスペクトル利用情報は第１の地域における二次システムと第２の地域における一次システムとの間の距離等の要素に影響される。第１の地域における二次システムの地理的位置情報及び第２の地域における一次システムのサービス範囲情報により、第１の地域における二次システムと第２の地域における一次システムとの間の距離等を確定することができる。よって、確定された第１の地域における二次システムと第２の地域における一次システムとの間の距離等により、第１の地域における二次システムは第１の地域及び第２の地域における一次システムをともに干渉しない場合の送信電力、帯域幅、周波数帯域等を確定することができる。よって、第１の地域における二次システムに干渉される、１つ又は複数の第２の地域における一次システムのサービス範囲情報を、第１の地域における二次システムのスペクトル利用情報を修正するための参考情報とすることができる。例えば、図２に示す例示では、地域２における一次システム２は地域１における二次システムａに干渉される場合、地域１における二次システムａのスペクトル利用情報は、地域１における二次システムａの地理的位置情報及び地域２における一次システム２のサービス範囲情報により確定されてもよいので、地域１における二次システムａに干渉される地域２における一次システム２のサービス範囲情報を、地域１における二次システムａのスペクトル利用情報を修正するための参考情報としてもよい。さらに例えば、地域１における一次システム１は地域２における二次システムｄに干渉される場合、地域２における二次システムｄのスペクトル利用情報は、地域２における二次システムｄの地理的位置情報及び地域１における一次システム１のサービス範囲情報により確定されてもよいので、地域２における二次システムｄに干渉される地域１における一次システム１のサービス範囲情報を、地域２における二次システムｄのスペクトル利用情報を修正するための参考情報としてもよい。
【００７１】
無線通信システムにおける装置１００は複数の二次システムを管理している可能性もあるため、装置１００の管理を便利にさせるように、１つ又は複数の第２の地域における一次システムに干渉する二次システムの二次システム関連情報を、第１の地域における二次システムのスペクトル利用情報を修正するための参考情報としてもよい。例えば、二次システム関連情報は、二次システム識別子又は二次システムのスペクトル利用情報であってもよい。この場合に、１つ又は複数の第２の地域における一次システムに干渉する二次システムの二次システム識別子により、１つ又は複数の第２の地域における一次システムに干渉する二次システムのスペクトル利用情報を問い合わせ、或いは１つ又は複数の第２の地域における一次システムに干渉する二次システムのスペクトル利用情報を直接に取得してもよく、これにより、二次システムのスペクトル利用情報により第１の地域における二次システムのスペクトル利用情報を修正することができる。また、第１の地域における二次システム及び１つ又は複数の第２の地域における二次システムがある第２の地域における一次システムに集合干渉する場合、第１の地域における二次システムのスペクトル利用情報を確定するために、どの第２の地域におけるどの二次システムが第１の地域における二次システムとともに該第２の地域における一次システムに集合干渉するかをさらに考慮する必要がある。この場合、第１の地域における二次システムとともに該第２の地域における一次システムに集合干渉するこれらの第２の地域におけるこれらの二次システムの二次システム識別子により、第１の地域における二次システムとともに該第２の地域における一次システムに集合干渉するこれらの第２の地域におけるこれらの二次システムのスペクトル利用情報を問い合わせ、或いは第１の地域における二次システムとともに該第２の地域における一次システムに集合干渉するこれらの第２の地域におけるこれらの二次システムのスペクトル利用情報を直接に取得してもよく、これにより、これらの二次システムのスペクトル利用情報により第１の地域における二次システムのスペクトル利用情報を修正することができる。例えば、図２に示す例示では、地域１における二次システムｂと地域２における二次システムｄがともに地域２における一次システム２に集合干渉する場合、地域２における二次システムｄの二次システム識別子ｄにより地域２における二次システムｄのスペクトル利用情報を問い合わせ、或いは地域２における二次システムｄのスペクトル利用情報を直接に取得することができ、これにより、地域２における二次システムｄのスペクトル利用情報により地域１における二次システムｂのスペクトル利用情報を修正することができる。また、図２に示すように、仮に二次システムｆを含む地域３（図示ない）が存在しており、且つ地域１における二次システムｂと地域３における二次システムｆがともに地域２における一次システム２に集合干渉する場合、地域３における二次システムｆの二次システム識別子ｆにより地域３における二次システムｆのスペクトル利用情報を問い合わせ、或いは地域３における二次システムｆのスペクトル利用情報を直接に取得してもよく、これにより、地域３における二次システムｆのスペクトル利用情報により地域１における二次システムｂのスペクトル利用情報を修正することができる。類似するように、図２に示す例示では、地域２における二次システムｄと地域１における二次システムｂがともに地域１における一次システム１に集合干渉する場合、地域１における二次システムｂの二次システム識別子ｂにより、地域１における二次システムｂのスペクトル利用情報を問い合わせ、或いは地域１における二次システムｂのスペクトル利用情報を直接に取得してもよく、これにより、地域１における二次システムｂのスペクトル利用情報により地域２における二次システムｄのスペクトル利用情報を修正することができる。また、図２に示す例示では、仮に二次システムｆを含む地域３（図示ない）が存在しており、且つ地域２における二次システムｄと地域３における二次システムｆがともに地域１における一次システム１に集合干渉する場合、地域３における二次システムｆの二次システム識別子ｆにより地域３における二次システムｆのスペクトル利用情報を問い合わせ、或いは地域３における二次システムｆのスペクトル利用情報を直接に取得してもよく、これにより、地域３における二次システムｆのスペクトル利用情報により地域２における二次システムｄのスペクトル利用情報を修正することができる。
【００７２】
図１に戻して参照すると、装置１００における管理ユニット１０４は受信した参考情報により、第１の地域における二次システムのスペクトル利用情報を修正することができる。
【００７３】
第１の地域は、第２の地域から第１の地域における二次システムのスペクトル利用情報を修正するための参考情報を受信した後、第２の地域における一次システムを第１の地域における二次システムに干渉させないように、受信した参考情報により第１の地域における二次システムのスペクトル利用情報を修正してもよい。例えば、図２に示す例示では、地域１は、地域２から地域１における二次システムｂのスペクトル利用情報を修正する参考情報を受信した後、地域２における一次システム２を地域１における二次システムｂに干渉させないように、受信した参考情報により地域１における二次システムｂのスペクトル利用情報を修正してもよい。図２に示す例示では、地域２は、地域１から地域２における二次システムｄのスペクトル利用情報を修正する参考情報を受信した後、地域１における一次システム１を地域２における二次システムｄに干渉させないように、受信した参考情報により地域２における二次システムｄのスペクトル利用情報を修正してもよい。
【００７４】
本発明の１つの実施例によれば、１つ又は複数の第２の地域における一次システムを第１の地域における二次システムに干渉させないように、第１の地域における二次システムに干渉される、１つ又は複数の第２の地域における一次システムの動作状況情報により、第１の地域における二次システムのスペクトル利用情報を修正する。ここで、第１の地域における二次システムに干渉される、１つ又は複数の第２の地域における一次システムは、１つ又は複数の第２の地域における一次システムのサービス範囲情報、及び第１の地域における二次システムのスペクトル利用情報に基づいて確定された第１の地域における二次システムの第１レベルの干渉範囲情報により確定される。
【００７５】
また、本発明の別の具体的な実施例によれば、第２の地域は、そのカバレッジ範囲における異なる位置での信号測定により第１の地域において第２の地域における一次システムに干渉する二次システムを確定してもよい。例えば、第２の地域は、そのカバレッジ範囲における異なる位置で信号測定結果を収集し、収集した信号測定結果により、第２の地域における一次システムに干渉する１つ又は複数の二次システムは第１の地域におけるある位置に存在していると判定する。この場合、第２の地域は、第１の地域における二次システムが第２の地域における一次システムに干渉しないことを確保するように、第２の地域における一次システムの動作状態情報によりこれらの二次システムのスペクトル利用情報を修正してもよい。また、第２の地域における一次システムの動作状態情報により第１の地域が第１の地域における二次システムのスペクトル利用情報を修正するように、第２の地域は、第２の地域において第１の地域における二次システムに干渉される一次システムの動作状況情報を第１の地域に送信してもよい。
【００７６】
以下、図２を参照して本発明実施例に係る二次システムの第１レベルの干渉範囲により二次システムのスペクトル利用情報を修正する過程を説明する。図２は本発明実施例に係る二次システムの第１レベルの干渉範囲により二次システムのスペクトル利用情報を修正する概略図である。
【００７７】
第１の地域は、第１の地域の第１の地域における二次システムのスペクトル利用情報を第２の地域に送信した後、第２の地域は、受信した第１の地域における二次システムのスペクトル利用情報により第１の地域における二次システムの第１レベルの干渉範囲を確定する。第１レベルの干渉範囲は、第１の地域における二次システムを中心として第１レベルの干渉半径ｒ１を半径とする円内にある、第１の地域における二次システムの干渉により第２の地域における一次システムが動作できない範囲である。よって、第２の地域における一次システムは、該第１レベルの干渉範囲に入ると通常に動作できなくなる。例えば、第１レベルの干渉半径ｒ１は以下の式により算出してもよい。
Ｐｔｓｓ  −  ＰＬ（ｒ１）＝  ＰｒＰＳ＿ｍｉｎ  −  ＰＲｍｉｎ                （１）
ここで、Ｐｔｓｓは第１の地域における二次システムのある周波数帯域での送信電力である。ＰＬ（ｒ１）は、距離ｒ１及びチャンネルモデルにより算出されたパスフェージングであり、それは第１の地域における二次システムのアンテナ高さ、第２の地域における一次システムのアンテナ高さ及び応用シナリオにより、対応するパスフェージングモデルを用いて算出されてもよく、具体的にはECC  REPORT  159，  “TECHNICAL  AND  OPERATIONAL  REQUIREMENTS  FOR  THE  POSSIBLE  OPERATION  OF  COGNITIVE  RADIO  SYSTEMS  IN  THE  “WHITE  SPACES”  OF  THE  FREQUENCY  BAND  470−790  MHz”、cardiff、2011年1月を参照する。ＰｒＰＳ＿ｍｉｎは、第２の地域における一次システムのサービスエリアのエッジの最小信号強度である。ＰＲｍｉｎは干渉がある場合に第２の地域における一次システムの受信機が通常に動作可能な最小信号対干渉比（ｓｉｇｎａｌ−ｔｏ−ｉｎｔｅｒｆｅｒｅｎｃｅ  ｒａｔｉｏ）である。各地域における一次システムのＰｒＰＳ＿ｍｉｎ及びＰＲｍｉｎは異なる可能性もある。例えば、異なる国家のテレビジョンサービスエリアのエッジ信号の最小信号強度が異なる可能性もあり、且つ各国のテレビジョン信号受信機の耐干渉能力が異なる可能性もある。これらの情報はシステム情報として予め記憶され、且つ必要に応じて問い合わせされることができる。ここで、上述した第１の地域における二次システムの第１レベルの干渉の半径を算出する方法は例示的なものに過ぎず、第１の地域における二次システムの第１レベルの干渉半径を他の適当な方法で算出してもよい。
【００７８】
第１の地域における二次システムの第１レベルの干渉範囲を確定した後、確定された第１の地域における二次システムの第１レベルの干渉範囲、及び１つ又は複数の第２の地域における一次システムのサービス範囲情報により、１つ又は複数の第２の地域における一次システムは第１の地域における二次システムの第１レベルの干渉範囲に入るか否かをサーチしてもよい。ある第２の地域における一次システムが第１の地域における二次システムの第１レベルの干渉範囲に入ることが発見された場合、該第２の地域における一次システムは第１の地域における二次システムに干渉的される、第２の地域における一次システムとして判定されてもよい。
【００７９】
第１の地域における二次システムに干渉される、１つ又は複数の第２の地域における一次システムを判定した後、１つ又は複数の第２の地域における一次システムを第１の地域における二次システムに干渉させないように、判定した第１の地域における二次システムに干渉される、１つ又は複数の第２の地域における一次システムの動作状况情報により、第１の地域における二次システムのスペクトル利用情報を修正してもよい。例えば、第２の地域における一次システムの動作状况情報は、周波数帯域、帯域幅、送信電力及びスペクトル利用期限等の中の少なくとも１つを備えてもよい。
【００８０】
例えば、図２に示す例示では、地域１は地域１における二次システムｂのスペクトル利用情報を地域２に送信した後、或いは地域２は地域１における二次システムｂのスペクトル利用情報を検出した後、地域２は、地域１における二次システムｂのスペクトル利用情報により地域１における二次システムｂの第１レベルの干渉範囲を確定してもよい。地域１における二次システムｂの第１レベルの干渉範囲は、地域１における二次システムｂを中心として第１レベルの干渉半径ｒ１を半径とする円内にある、地域２における一次システム２の動作できない範囲である。例えば、地域１における二次システムｂの第１レベルの干渉半径ｒ１は上記式（１）に記載の方法により算出されてもよい。地域１における二次システムｂの第１レベルの干渉範囲を確定した後、確定した地域１における二次システムｂの第１レベルの干渉範囲、及び地域２における一次システム２のサービス範囲情報等により、地域２における一次システム２は地域１における二次システムｂの第１レベルの干渉範囲に入るか否かをサーチしてもよい。地域２における一次システム２は地域１における二次システムｂの第１レベルの干渉範囲に入る場合、地域２における一次システム２は地域１における二次システムｂに干渉されると確定してもよい。地域２における一次システム２が地域１における二次システムｂに干渉されると確定した後、地域２における一次システム２を地域１における二次システムｂに干渉させないように、地域２における一次システム２の動作状况情報により、地域１における二次システムｂのスペクトル利用情報を修正してもよい。また、地域２における二次システムｄが地域１における一次システム１に干渉することを考慮する場合、その処理方式は上述した処理方式と類似しているため、ここでは詳細な説明は省略する。
【００８１】
以下、図３を参照して本発明実施例に係る二次システムの第１レベルの干渉範囲により二次システムのスペクトル利用情報を修正する方式を説明する。図３は本発明実施例に係る二次システムの第１レベルの干渉範囲により二次システムのスペクトル利用情報を修正する方式の概略図である。
【００８２】
図３に示すように、第１の地域（地域１）は、第１の地域における二次システムの位置情報、スペクトル利用情報等を１つ又は複数の第２の地域（地域２、…、地域ｎ）に送信する。また、１つ又は複数の第２の地域（地域２、…、地域ｎ）は、第１の地域（地域１）のスペクトル利用情報を検出してもよい。各第２の地域は、それぞれ第１の地域における二次システムの位置情報、スペクトル利用情報、及び対応する第２の地域における一次システムのサービス範囲情報等により、第１の地域における二次システムの第１レベルの干渉範囲を確定する。各第２の地域は、第１の地域における二次システムの第１レベルの干渉範囲をそれぞれ確定した後、対応する第２の地域における一次システムの動作状態情報により第１の地域における二次システムのスペクトル利用情報を修正し、そして、修正後の二次システムのスペクトル利用情報をそれぞれ二次システムのスペクトル利用情報修正命令として第１の地域に送信する。第１の地域は各第２の地域からの修正後の二次システムのスペクトル利用情報を受信した後、各第２の地域における一次システムを第１の地域における二次システムに干渉させないように、第１の地域における二次システムのスペクトル利用情報を総合的に修正する。
【００８３】
以下、図４を参照して本発明実施例に係る二次システムの第１レベルの干渉範囲により二次システムのスペクトル利用情報を修正する別の方式を説明する。図４は本発明実施例に係る二次システムの第１レベルの干渉範囲により二次システムのスペクトル利用情報を修正する別の方式を示す概略図である。
【００８４】
図４に示すように、第１の地域（地域１）は、第１の地域における二次システムの位置情報、スペクトル利用情報等を１つ又は複数の第２の地域（地域２、…、地域ｎ）に送信する。また、１つ又は複数の第２の地域（地域２、…、地域ｎ）は第１の地域（地域１）のスペクトル利用情報を検出してもよい。各第２の地域は、それぞれ第１の地域における二次システムの位置情報、スペクトル利用情報、及び対応する第２の地域における一次システムのサービス範囲情報等により、第１の地域における二次システムの第１レベルの干渉範囲を確定する。各第２の地域は第１の地域における二次システムの第１レベルの干渉範囲をそれぞれ確定した後、第１の地域における二次システムの第１レベルの干渉範囲に入る各第２の地域における一次システムをサーチし、第１の地域における二次システムの第１レベルの干渉範囲に入る各第２の地域の一次システムのサービス範囲情報を、それぞれ第１の地域に送信する。第１の地域は、各第２の地域からの第１の地域における二次システムの第１レベルの干渉範囲に入る各第２の地域の一次システムのサービス範囲情報を受信した後、各第２の地域における一次システムを第１の地域における二次システムに干渉させないように、第１の地域における二次システムのスペクトル利用情報を総合的に修正する。
【００８５】
本発明の１つの実施例によれば、１つ又は複数の第２の地域における少なくとも幾つかは、それにおける一次システムは第１の地域における二次システムのスペクトル利用情報、及び第１の地域における他の二次システム及び／又は１つ又は複数の第２の地域における二次システムのスペクトル利用情報により第１の地域における二次システムに集合干渉されると判定される地域である。
【００８６】
以下、図５を参照して本発明実施例に係る二次システムの第２レベルの干渉範囲により二次システムのスペクトル利用情報を修正する過程を説明する。図５は本発明実施例に係る二次システムの第２レベルの干渉範囲により二次システムのスペクトル利用情報を修正することを示す概略図である。
【００８７】
図５に示すように、地域１は一次システム１、二次システムＣ及び二次システムＤを含み、地域２は一次システム２及び二次システムＢを含み、地域３は一次システム３及び二次システムＡを含んでいる。地域１において、実線楕円に示すスペクトル利用制限参考区域１に、地域１における一次システム１に対する地域１における二次システムＣ及び二次システムＤのローカル干渉は、地域１における一次システム１に対する地域３における二次システムＡの非ローカル干渉とともに、地域１における一次システム１に集合干渉する。また、地域２における点線楕円に示すスペクトル利用制限参考区域２に、地域２における一次システム２に対する地域２における二次システムＢのローカル干渉は、地域２における一次システム２に対する地域１における二次システムＣ及び二次システムＤの非ローカル干渉、及び地域２における一次システム２に対する地域３における二次システムＡの非ローカル干渉とともに、地域２における一次システム２に集合干渉する。
【００８８】
本発明の１つの実施例によれば、１つ又は複数の第２の地域における一次システムを第１の地域における二次システムに集合干渉させないように、第１の地域における二次システムに集合干渉される、１つ又は複数の第２の地域における一次システムの動作状况情報、及び第１の地域における二次システムに集合干渉される、１つ又は複数の第２の地域における一次システムに干渉する二次システムの干渉状況情報により、第１の地域における二次システムのスペクトル利用情報を修正する。第１の地域における二次システムに集合干渉される、１つ又は複数の第２の地域における一次システムは、１つ又は複数の第２の地域における一次システムのサービス範囲情報、及び第１の地域における二次システムのスペクトル利用情報に基づいて確定された第１の地域における二次システムの第２レベルの干渉範囲情報により確定される。
【００８９】
第１の地域は、第１の地域における二次システムの第１レベルの干渉範囲により修正された第１の地域における二次システムのスペクトル利用情報を取得した後、該修正後の第１の地域における二次システムのスペクトル利用情報を、一次システムが第１の地域における二次システムの第１レベルの干渉範囲に入る１つ又は複数の第２の地域に送信する。第２の地域は、受信した修正後の第１の地域における二次システムのスペクトル利用情報により、第１の地域における二次システムの第２レベルの干渉範囲を確定する。また、第２の地域は、第１の地域における二次システムの最初のスペクトル利用情報により、第１の地域における二次システムの第２レベルの干渉範囲を確定しても良い。つまり、第２の地域は、第１の地域における二次システムの第１レベルの干渉範囲を確定してから第２レベルの干渉範囲を確定する必要がなく、第１の地域における二次システムの第２レベルの干渉範囲を直接的に確定することができる。第１の地域における二次システムの第２レベルの干渉範囲は、第１の地域における二次システムを中心として第２レベルの干渉半径を半径とする円の外部にある第２の地域における一次システムは該第１の地域における二次システムの干渉を無視可能な範囲である。よって、第１の地域における二次システムの第２レベルの干渉範囲にある第２の地域における一次システムは、該第１の地域における二次システムからの干渉を考慮すべきである。よって、第１の地域における二次システムの第１レベルの干渉範囲は、第２の地域における一次システムに対する該第１の地域における１つの二次システムの干渉のみを考慮しただけであり、第１の地域における二次システムの第２レベルの干渉範囲は、第２の地域における一次システムに対する該第１の地域における二次システム、及び該第１の地域内の他の二次システム及び／又は１つ又は複数の第２の地域における二次システムの集合干渉を考慮している。よって、第１の地域におけるある二次システムにとって、第２レベルの干渉範囲は第１レベルの干渉範囲よりも大きい。第１レベルの干渉範囲外にあるが、第２レベルの干渉範囲にある第２の地域における一次システムは、動作できるが、複数の二次システムからの集合干渉を受けている。ある二次システムからの干渉は小さいであるが、他の二次システムの干渉信号と集合することにより、第２の地域における一次システムは動作できなくなる可能性がある。第１の地域における二次システムの第２レベルの干渉半径ｒ２は下記の式で算出されてもよい。
Ｐｔｓｓ  −  ＰＬ（ｒ２）  ＝  ＲＳ              （２）
ここで、Ｐｔｓｓは第１の地域における二次システムのある周波数帯域での送信電力である。ＰＬ（ｒ２）は第２レベルの干渉半径r2及びチャンネルモデルにより算出されるパスフェージングであり、具体的にECC  REPORT  159,  “TECHNICAL  AND  OPERATIONAL  REQUIREMENTS  FOR  THE  POSSIBLE  OPERATION  OF  COGNITIVE  RADIO  SYSTEMS  IN  THE  “WHITE  SPACES”  OF  THE  FREQUENCY  BAND  470−790  MHz”、cardiff、2011年1月を参照する。RSは第2の地域における一次システムの受信機が受信可能な干渉の閾値であり、この数値よりも小さい干渉を考慮しなくても良い。例えば、干渉の信号エネルギーはＰｒＰＳ＿ｍｉｎ  −  ＰＲ  −２０ｄＢよりも低いと、この干渉を考慮しなくても良い。ここで、上述した第１の地域における二次システムの第２レベルの干渉半径を算出する方法は例示的なものに過ぎず、他の適当な方法により第１の地域における二次システムの第２レベルの干渉半径を算出してもよい。本実施例によれば、第１の地域における二次システムの第１レベルの干渉範囲により第１の地域における二次システムの送信電力を小さくしたため、第１の地域における二次システムの第２レベルの干渉範囲を小さくすることができ、他の地域にある過度に干渉している二次システムにアクセスすることが避けられる。当然ながら、上述のように、第２の地域は、第１の地域における二次システムの第１レベルの干渉範囲を先に確定する必要が無く、第１の地域における二次システムの最初のスペクトル利用情報により第１の地域における二次システムの第２レベルの干渉範囲を直接的に確定してもよい。この場合に、直接的に確定された第２レベルの干渉範囲は、第１レベルの干渉範囲を確定してから確定された第２レベルの干渉範囲よりも大きい可能性がある。
【００９０】
第１の地域における二次システムの第２レベルの干渉範囲を確定した後、確定された第１の地域における二次システムの第２レベルの干渉範囲、及び１つ又は複数の第２の地域における一次システムのサービス範囲情報により、１つ又は複数の第２の地域における一次システムが第１の地域における二次システムの第２レベルの干渉範囲に入るか否かをサーチしてもよい。第２の地域におけるある一次システムが第１の地域における二次システムの第２レベルの干渉範囲に入ると発見される場合、該第２の地域における一次システムは、第１の地域における二次システムに集合干渉される、第２の地域における一次システムとして確定され、且つ第１の地域における二次システムに集合干渉される、１つ又は複数の第２の地域における一次システムに干渉する他の対応する二次システムをサーチしてもよい。
【００９１】
第１の地域における二次システムに集合干渉される、１つ又は複数の第２の地域における一次システムを確定したとともに、第１の地域における二次システムに集合干渉される、１つ又は複数の第２の地域における一次システムに干渉する二次システムを発見した後、１つ又は複数の第２の地域における一次システムを第１の地域における二次システムに集合干渉させないように、確定された第１の地域における二次システムに集合干渉される、１つ又は複数の第２の地域における一次システムの動作状况情報及び第１の地域における二次システムに集合干渉される、１つ又は複数の第２の地域における一次システムに干渉する二次システムの干渉状況情報により、第１の地域における二次システムのスペクトル利用情報を修正してもよい。例えば、第２の地域における一次システムの動作状况情報及び二次システムの干渉状況情報は、周波数帯域、帯域幅、送信電力及びスペクトル利用期限等の中の少なくとも１つを備えてもよい。
【００９２】
例えば、図５に示す例示では、地域１は、地域１における二次システムＣの第１レベルの干渉範囲により修正されたスペクトル利用情報を地域２に送信した後、地域２は、地域１における二次システムＣの修正されたスペクトル利用情報により地域１における二次システムＣの第２レベルの干渉範囲を確定してもよい。また、地域２は、地域１における二次システムＣの第１レベルの干渉範囲を先に確定する必要が無く、地域１における二次システムＣの最初のスペクトル利用情報により地域１における二次システムＣの第２レベルの干渉範囲を直接的に確定してもよい。地域１における二次システムＣの第２レベルの干渉範囲は、地域１における二次システムＣを中心として第２レベルの干渉半径ｒ２を半径とする円内にある、地域２における一次システム２が地域１における二次システムＣの干渉を無視可能な範囲である。例えば、地域１における二次システムＣの第２レベルの干渉半径ｒ２は、上記式（２）に記載の方法により算出されてもよい。地域１における二次システムＣの第２レベルの干渉範囲を確定した後、確定された地域１における二次システムＣの第２レベルの干渉範囲、及び地域２における一次システム２のサービス範囲情報等により、地域２における一次システム２は地域１における二次システムＣの第２レベルの干渉範囲に入るか否かをサーチしてもよい。地域２における一次システム２は、地域１における二次システムＣの第２レベルの干渉範囲に入る場合、地域１における二次システムＣに集合干渉されると確定され、地域２における一次システム２に干渉する他の対応する二次システム、例えば、地域１における二次システムＤ、地域２における二次システムＢ及び地域３における二次システムＡ等をサーチしてもよい。地域２における一次システム２は地域１における二次システムＣ、地域１における二次システムＤ、地域２における二次システムＢ及び地域３における二次システムＡに集合干渉されることを確定した後、地域２における一次システム２を地域１における二次システムＣに集合干渉させないように、地域２における一次システム２の動作状况情報及び地域１における二次システムＤ、地域２における二次システムＢ及び地域３における二次システムＡの干渉状況情報により、地域１における二次システムＣのスペクトル利用情報を修正してもよい。
【００９３】
本発明の１つの実施例によれば、第１の地域における二次システムに集合干渉される、１つ又は複数の第２の地域における一次システムに干渉する二次システムの干渉状況情報は、第２の地域内の登録ユニットに記録される第２の地域における一次システムのサービス範囲内の異なる位置で受ける第２の地域内の二次システム及び他の地域内の二次システムからの干渉状況情報を問い合わせることで得られるものである。
【００９４】
第２の地域内の登録ユニットは、第２の地域における一次システムのサービス範囲内の異なる位置で受ける第２の地域における二次システム及び他の地域における二次システムからの干渉状況情報を記録することができる。１つの新たに現れた二次システムはスペクトルを利用する前に、該新たに現れた二次システムは第２の地域における一次システムに干渉しているか否かを判定し、該新たに現れた二次システムは第２の地域における一次システムに干渉していると判定される場合、該新たに現れた二次システムのスペクトル利用情報を登録ユニットに登録してもよい。また、登録ユニットの内容を周期的に更新し、或いは一次システム又は二次システムのスペクトル利用状況が変化する場合に登録ユニットの内容を更新してもよい。本発明の１つの実施例によれば、第２の地域における二次システムからの干渉状況情報は、第２の地域における一次システムに対する第２の地域における二次システムの干渉量及び／又は第２の地域における二次システムのスペクトル利用時間を備え、他の地域における二次システムからの干渉状況情報は、他の地域の地域識別子及び他の地域における二次システムの二次システム識別子を備える。
【００９５】
図５に示すように、第１の地域（地域１）における二次システムＣがどの地域におけるどの二次システムとともに第２の地域（地域２）における一次システム２に集合干渉するかを考慮する場合、第２の地域（地域２）における登録ユニットに記録される、第２の地域（地域２）における一次システムのサービス範囲の異なる位置で受ける第２の地域（地域２）における二次システム及び他の地域における二次システムからの干渉状況情報を問い合わせても良い。例えば、図５に示す例示では、第２の地域（地域２）における登録ユニットを問い合わせることにより、第２の地域（地域２）における二次システムＢ、及び他の地域における二次システム（地域１における二次システムＤ及び地域３における二次システムＡ）は第１の地域（地域１）における二次システムＣとともに第２の地域（地域２）における一次システム２に集合干渉することを得られる。
【００９６】
図５に示す例示の場合に、登録ユニットは下記の表１のように各二次システムの干渉状況情報を記録しても良い。
【表１】
2019024220.tif 000003
【００９７】
登録ユニットにおける表１を問い合わせることにより、地域２におけるスペクトル利用制限区域２は、地域３における二次システムＡにさらに干渉されることが発見され、その識別子が（３，  Ａ，  Ｔ１）であり、ここで、３は地域３の地域識別子、Ａは地域３における二次システムＡの二次システム識別子、Ｔ１は干渉有効時間である。
【００９８】
以下、第２の地域における登録ユニットは、如何に第２の地域における一次システムのサービス範囲内の異なる位置で受ける第２の地域における二次システム及び他の地域における二次システムからの干渉状況情報を記録するかについて詳しく説明する。
【００９９】
以下、図６を参照して本発明実施例に係る二次システムの第２レベルの干渉範囲により干渉している二次システムをサーチする過程を説明する。図６は本発明実施例に係る二次システムの第２レベルの干渉範囲により干渉している二次システムをサーチすることを示す概略図を示す。
【０１００】
図６に示すように、地域１は、地域１における二次システムＣの位置情報、及び地域１における二次システムＣの第１レベルの干渉範囲により修正された地域１における二次システムＣのスペクトル利用情報等を地域２に送信する。地域２は、受信した修正後の地域１における二次システムＣのスペクトル利用情報により地域１における二次システムＣの第２レベルの干渉範囲を確定する。そして、地域２は、確定した地域１における二次システムＣの第２レベルの干渉範囲、及び地域２における一次システム２のサービス範囲情報等により、地域１における二次システムＣの第２レベルの干渉範囲に入る第２の地域における一次システムをサーチする。そして、登録ユニットに記憶される干渉している二次システムの登録表１を問い合わせることにより第２レベルの干渉範囲に入る第２の地域における一次システムに干渉する二次システムをサーチする。例えば、図５に示す例示では、地域２における一次システム２は地域１における二次システムＣの第２レベルの干渉範囲内に入り、且つ上述した干渉している二次システムの登録表１を問い合わせることにより、地域２における一次システム２に干渉する二次システムは、地域３における二次システムＡ、地域１における二次システムＤ及び地域２におけるシステムＢを備えることを発見した。第２レベルの干渉範囲に入る第２の地域における一次システムに干渉する二次システムを発見した後、該二次システムのスペクトル利用情報を該二次システムが位置する地域に問い合わせてもよい。例えば、図５に示す例示では、地域２における一次システム２に干渉する地域３における二次システムＡを発見した後、地域２は、二次システムＡのスペクトル利用情報を二次システムＡが位置する地域３に問い合わせ、地域３は地域３における二次システムＡのスペクトル利用情報を地域２に送信してもよい。
【０１０１】
以下、図７を参照して本発明実施例に係る二次システムの第２レベルの干渉範囲により二次システムのスペクトル利用情報を修正する１つの方式を説明する。図７は本発明実施例に係る二次システムの第２レベルの干渉範囲により二次システムのスペクトル利用情報を修正する１つの方式を示す概略図である。
【０１０２】
図７に示すように、各第２の地域（地域２、…、地域ｎ）は、第２レベルの干渉範囲内に位置する対応する第２の地域における一次システムの動作状態情報、及び第２レベルの干渉範囲内に位置する対応する第２の地域における一次システムに干渉する他の二次システムの干渉状況情報により、第１の地域（地域１）における二次システムのスペクトル利用情報を修正し、そして、修正後の二次システムのスペクトル利用情報を二次システムのスペクトル利用情報修正命令として第１の地域に送信する。第１の地域は、各第２の地域からの修正後の二次システムのスペクトル利用情報を受信した後、各第２の地域における一次システムを第１の地域における二次システムに集合干渉させないように、第１の地域における二次システムのスペクトル利用情報を総合的に修正する。
【０１０３】
以下、図８を参照して本発明実施例に係る二次システムの第２レベルの干渉範囲により二次システムのスペクトル利用情報を修正する別の方式を説明する。図８は本発明実施例に係る二次システムの第２レベルの干渉範囲により二次システムのスペクトル利用情報を修正する別の方式を示す概略図である。
【０１０４】
図８に示すように、第１の地域（地域１）は、第１の地域における二次システムの位置情報、スペクトル利用情報等を１つ又は複数の第２の地域に送信する。各第２の地域（地域２、…、地域ｎ）は、第１の地域における二次システムの第２レベルの干渉範囲に入る各第２の地域の一次システムのサービス範囲情報、及び第２レベルの干渉範囲に入る各第２の地域の一次システムに干渉する他の地域における二次システムの干渉状況情報を、第１の地域（地域１）にそれぞれ送信してもよい。第１の地域は、各第２の地域からの第１の地域における二次システムの第２レベルの干渉範囲に入る各第２の地域の一次システムのサービス範囲情報、及び第２レベルの干渉範囲に入る各第２の地域の一次システムに干渉する他の地域における二次システムの干渉状況情報を受信した後、各第２の地域における一次システムを第１の地域における二次システムに集合干渉させないように、第１の地域における二次システムのスペクトル利用情報を総合的に修正する。
【０１０５】
以下、図９を参照して図１に示す管理ユニットの構成を説明する。図９は、図１に示す管理ユニットの構成を示すブロック図である。
【０１０６】
本発明の１つの実施例によれば、管理ユニット１０６は、第１の地域における一次システムのスペクトル利用期限及び第１の地域における二次システムに干渉される、１つ又は複数の第２の地域における一次システムのスペクトル利用期限により、第１の地域における二次システムのスペクトル利用有効時間を確定する二次システムのスペクトル利用時間確定ユニット９０２をさらに備える。
【０１０７】
具体的には、二次システムのスペクトル利用情報を修正する場合、一定期間内に既存の一次システム及び二次システムのスペクトル利用状況を検査してもよい。この継続期間は二次システムに提供される所望スペクトル利用継続期間により確定されてもよい。二次システムは所望スペクトル利用継続期間を提供しないと、スペクトル利用可能期限により確定されてもよい。スペクトル利用可能期限は、次の時間帯を指し、即ち、該時間帯内に予測可能な一次システム及び二次システムの動作状況によりスペクトルの利用可能性を確定することができ、該時間帯を過ぎると、該利用可能なスペクトルが無効になり、利用可能なスペクトルを改めて算出する必要がある。二次システムに提供される所望スペクトル利用時間はスペクトル利用可能期限よりも遥かに小さい場合、スペクトル利用時間を低い複雑さで修正することができる。
【０１０８】
本発明の実施例によれば、受信ユニット１０４は、第１の地域における二次システムから、第１の地域における二次システムに推定される二次システムのスペクトル利用継続期間を受信するものであり、二次システムのスペクトル利用時間確定ユニットは、さらに、スペクトル利用有効時間及び二次システムのスペクトル利用継続期間により第１の地域における二次システムのスペクトル利用時間を修正するものである。
【０１０９】
上記継続期間内に、既存の一次システム及び二次システムのスペクトル利用状況は変化する場合、以下の３つのアプローチにより二次システムのスペクトル利用情報を修正してもよい。
【０１１０】
第１のアプローチでは、既存の一次システム及び二次システムのスペクトル利用の第１回変化の前の状況により二次システムのスペクトル利用情報を修正し、そして、二次システムのスペクトル利用期限を既存の一次システム及び／又は二次システムのスペクトル利用の第１回変化の時間に更新する。
【０１１１】
第２のアプローチでは、継続期間内に、既存の一次システム及び二次システムのスペクトル利用の変化状況により、修正後の二次システムのスペクトル利用情報を確定し、変化の時間帯をマークする。
【０１１２】
第３のアプローチでは、継続期間内に二次システムのスペクトル利用情報を修正し、１つのスペクトル利用の形態を確定し、これにより、二次システムのスペクトル利用はこの時間帯内に一次システム及び二次システムのスペクトル利用の異なる変化に何れも干渉しない。
【０１１３】
本発明の実施例によれば、二次システムのスペクトル利用継続期間は、第１の地域における二次システムのスペクトル利用情報及び第１の地域における二次システムの応用タイプにより推定される。
【０１１４】
以下、図１０を参照して本発明の別の実施例に係る無線通信システムにおける装置の構成を説明する。図１０は本発明の別の実施例に係る無線通信システムにおける装置の構成を示すブロック図である。
【０１１５】
図１０に示すように、無線通信システムにおける装置１０００は、受信ユニット１００２、管理ユニット１００４及び登録ユニット１００６を備える。受信ユニット１００２及び管理ユニット１００４の構成は図１に示す装置１００における受信ユニット１０２及び管理ユニット１０４の構成とそれぞれ同じであるため、ここでそれらを具体的に説明しない。以下、装置１０００における登録ユニット１００６を詳しく説明する。
【０１１６】
図１０に示すように、無線通信システムにおける装置１０００の登録ユニット１００６は、第１の地域における一次システムのサービス範囲内に異なる位置で受ける第１の地域における二次システム及び他の地域における二次システムからの干渉状況情報を受信することができる。
【０１１７】
本発明の１つの実施例によれば、第１の地域における二次システムからの干渉状況情報は、第１の地域における一次システムに対する第１の地域における二次システムの干渉量及び／又は第１の地域における二次システムのスペクトル利用有効時間を備え、他の地域における二次システムからの干渉状況情報は、他の地域の地域識別子及び他の地域における二次システムの二次システム識別子を備える。
【０１１８】
以下、図１１を参照して本発明実施例に係る二次システムの干渉情報を記録する過程を説明する。図１１は本発明実施例に係る二次システムの干渉情報を記録することを示す概略図である。
【０１１９】
図１１に示すように、第１の地域（地域１）における二次システムのスペクトル利用情報に対する修正が完了した後、第１の地域における一次システムに対する第１の地域における二次システムの干渉を算出する。第１の地域における二次システムは第１の地域における一次システムに干渉しないとしても、第１の地域における二次システムの影響により、第１の地域における一次システムのサービスエリアのエッジで一次システムの許容干渉範囲が小さくされる。そして、第１の地域は、二次システムが位置する地域の地域識別子、二次システム識別子及びシステムパラメータ（例えば二次システムのアンテナ高さ、アンテナタイプ、伝送マスクのカテゴリ、送信電力、二次システムのタイプ、エアインターフェイス情報等）等をそれぞれ１つ又は複数の第２の地域（地域２、地域３）に送信する。各第２の地域は上記情報を受信した後、第１の地域における二次システムの第２レベルの干渉範囲をそれぞれ確定する。そして、各第２の地域は、確定された第１の地域における二次システムの第２レベルの干渉範囲、及び対応する第２の地域における一次システムのサービス範囲情報等により、第２レベルの干渉範囲に入る一次システムをサーチする。そして、干渉している二次システムが位置する地域の地域識別子、二次システム識別子及び干渉時間帯を、干渉される地域に対応するように上記干渉している二次システムの登録表１に記録する。
【０１２０】
本発明の１つの実施例によれば、第１の地域は、さらに、第１の地域の地域識別子及び第１の地域における二次システムの二次システム識別子を１つ又は複数の第２の地域に送信してもよい。
【０１２１】
以下、図１２を参照して本発明の別の実施例に係る無線通信システムにおける装置の構成を説明する。図１２は本発明の別の実施例に係る無線通信システムにおける装置の構成を示すブロック図である。
【０１２２】
図１２に示すように、無線通信システムにおける装置１２００は、受信ユニット１２０２、管理ユニット１２０４、記憶ユニット１２０６及び変換ユニット１２０８を備える。受信ユニット１２０２、管理ユニット１２０４の構成は図１に示す装置１００における受信ユニット１０２及び管理ユニット１０４の構成とそれぞれ同じであるため、ここでそれらを具体的に説明しない。以下、装置１２００における記憶ユニット１２０６及び変換ユニット１２０８を詳しく説明する。
【０１２３】
図１２に示すように、無線通信システムにおける装置１２００の記憶ユニット１２０６は、第１の地域及び１つ又は複数の第２の地域における二次システムの伝送マスクの記述及びそれに対応する識別子を記憶してもよい。
【０１２４】
図１２に示すように、無線通信システムにおける装置１２００の変換ユニット１２０８は、記憶ユニットに記憶される１つ又は複数の第２の地域における二次システムの伝送マスク又は周波数帯域の記述及びそれに対応する識別子により、１つ又は複数の第２の地域からの二次システムの伝送マスクの識別子を対応する二次システムの伝送マスクの記述に変換する。
【０１２５】
以下、図１３を参照して本発明実施例に係る無線通信システムに用いる方法を説明する。図１３は本発明実施例に係る無線通信システムに用いる方法を示すフローチャートである。
【０１２６】
図１３に示すように、該方法はステップ１３００から開始する。ステップ１３００の後に、該方法はステップ１３０２に進む。
【０１２７】
ステップ１３０２は受信ステップである。ステップ１３０２では、１つ又は複数の第２の地域の中の少なくとも幾つかから第１の地域における二次システムのスペクトル利用情報を修正する参考情報を受信する。ここで、１つ又は複数の第２の地域の中の少なくとも幾つかは、それにおける一次システムは第１の地域における二次システムのスペクトル利用情報により第１の地域における二次システムに干渉されると判定される地域である。
【０１２８】
ステップ１３０２の後、該方法はステップ１３０４に進む。
【０１２９】
ステップ１３０４は管理ステップである。ステップ１３０４では、受信した参考情報により、第１の地域における二次システムのスペクトル利用情報を修正する。
【０１３０】
図１３に示す方法は図１に示す装置と対応する方法であるため、ここでそれを詳しく説明しない。
【０１３１】
以下、図１４を参照して本発明実施例に係る無線通信システムにおける装置の構成を説明する。図１４は本発明実施例に係る無線通信システムにおける装置の構成を示すブロック図である。
【０１３２】
図１４に示すように、無線通信システムにおける装置１４００は取得ユニット１４０２、管理ユニット１４０４及び送信ユニット１４０６を備えてもよい。
【０１３３】
取得ユニット１４０２は、第１の地域における二次システムのスペクトル利用情報を取得する。上述のように、第２の地域は、第１の地域から第１の地域における二次システムのスペクトル利用情報を受信し、或いは第１の地域における二次システムのスペクトル利用情報を検出してもよい。
【０１３４】
無線通信システムにおける装置１４００の管理ユニット１４０４は、第１の地域における二次システムのスペクトル利用情報により、第１の地域における二次システムが第２の地域における一次システムに干渉しているか否かを判定する。
【０１３５】
無線通信システムにおける装置１４００の送信ユニット１４０６は、第１の地域における二次システムが第２の地域における一次システムに干渉する場合、第１の地域における二次システムのスペクトル利用情報を修正する参考情報を第１の地域に送信する。
【０１３６】
本発明の１つの実施例によれば、参考情報は、第１の地域における二次システムに干渉される、第２の地域における一次システムのサービス範囲情報、及び第２の地域における一次システムに干渉する二次システムの二次システム関連情報の中の少なくとも１つを備える。
【０１３７】
本発明の１つの実施例によれば、第２の地域における一次システムのサービス範囲情報、及び第１の地域における二次システムのスペクトル利用情報により確定された第１の地域における二次システムの第１レベルの干渉範囲情報により、第１の地域における二次システムに干渉される、第２の地域における一次システムをサーチする。ここで、第２の地域における一次システムを第１の地域における二次システムに干渉させないように、第１の地域における二次システムに干渉される、第２の地域における一次システムの動作状况情報により、第１の地域における二次システムのスペクトル利用情報を修正する。
【０１３８】
本発明の１つの実施例によれば、第１の地域における二次システムのスペクトル利用情報、及び第１の地域における他の二次システム及び／又は１つ又は複数の第２の地域における二次システムのスペクトル利用情報により、第１の地域における二次システムが第２の地域における一次システムに集合干渉しているか否かを判定する。
【０１３９】
本発明の１つの実施例によれば、第２の地域における一次システムのサービス範囲情報、及び第１の地域における二次システムのスペクトル利用情報により確定された第１の地域における二次システムの第２レベルの干渉範囲情報により、第１の地域における二次システムに集合干渉される、第２の地域における一次システムをサーチし、ここで、第２の地域における一次システムを第１の地域における二次システムに集合干渉させないように、第１の地域における二次システムに集合干渉される、第２の地域における一次システムの動作状况情報及び第１の地域における二次システムに集合干渉される、第２の地域における一次システムに干渉する二次システムの干渉状況情報により、第１の地域における二次システムのスペクトル利用情報を修正する。
【０１４０】
本発明の１つの実施例によれば、第２の地域内の登録ユニットに記録される第２の地域における一次システムのサービス範囲内において異なる位置で受ける第２の地域における二次システム及び他の地域における二次システムからの干渉状況情報により、第１の地域における二次システムに集合干渉される、第２の地域における一次システムに干渉する二次システムの干渉状況情報を取得する。
【０１４１】
本発明の１つの実施例によれば、第２の地域における二次システムからの干渉状況情報は、第２の地域における一次システムに対する第２の地域における二次システムの干渉量及び／又は第２の地域内の二次システムのスペクトル利用有効時間を備え、他の地域における二次システムからの干渉状況情報は、他の地域の地域識別子及び他の地域における二次システムの二次システム識別子を備える。
【０１４２】
本発明の１つの実施例によれば、取得ユニットは、第１の地域の地域識別子及び第１の地域における二次システムの二次システム識別子をさらに取得する。
【０１４３】
以下、図１５を参照して本発明実施例に係る無線通信システムにおける装置の別の構成を説明する。図１５は本発明実施例に係る無線通信システムにおける装置の別の構成を示すブロック図である。
【０１４４】
図１５に示すように、無線通信システムにおける装置１５００は、取得ユニット１５０２、管理ユニット１５０４、送信ユニット１５０６及び登録ユニット１５０８を備える。取得ユニット１５０２、管理ユニット１５０４、送信ユニット１５０６の構成は、図１４に示す装置１４００における取得ユニット１４０２、管理ユニット１４０４、送信ユニット１４０６の構成とそれぞれ同じであるため、ここでそれらを具体的に説明しない。以下、装置１５００における登録ユニット１５０８を詳しく説明する。
【０１４５】
図１５に示すように、登録ユニット１５０８は、第２の地域における一次システムのサービス範囲内において異なる位置で受ける第２の地域における二次システム及び他の地域における二次システムからの干渉状況情報を記録する。
【０１４６】
本発明の１つの実施例によれば、第２の地域における二次システムからの干渉状況情報は、第２の地域における一次システムに対する第２の地域における二次システムの干渉量及び／又は第２の地域内の二次システムのスペクトル利用有効時間を備え、他の地域における二次システムからの干渉状況情報は、他の地域の地域識別子及び他の地域における二次システムの二次システム識別子を備える。
【０１４７】
以下、図１６を参照して本発明実施例に係る無線通信システムにおける装置のさらに別の構成を説明する。図１６は本発明実施例に係る無線通信システムにおける装置のさらに別の構成を示すブロック図である。
【０１４８】
図１６に示すように、無線通信システムにおける装置１６００は、取得ユニット１６０２、管理ユニット１６０４、送信ユニット１６０６及び記憶ユニット１６０８を備える。取得ユニット１６０２、管理ユニット１６０４、送信ユニット１６０６の構成は図１４に示す装置１４００における取得ユニット１４０２、管理ユニット１４０４、送信ユニット１４０６の構成とそれぞれ同じであるため、ここでそれらを詳しく説明しない。以下、装置１６００における記憶ユニット１６０８を詳しく説明する。
【０１４９】
図１６に示すように、記憶ユニット１６０８は、第１の地域及び第２の地域における二次システムの伝送マスクの記述及びそれに対応する識別子を記憶する。
【０１５０】
以下、図１７を参照して本発明の別の実施例に係る無線通信システムに用いる方法を説明する。図１７は本発明の別の実施例に係る無線通信システムに用いる方法を示すフローチャートである。
【０１５１】
図１７に示すように、該方法はステップ１７００から開始する。ステップ１７００の後、該方法はステップ１７０２に進む。
【０１５２】
ステップ１７０２は取得ステップである。ステップ１７０２では、第１の地域における二次システムのスペクトル利用情報を取得する。
【０１５３】
ステップ１７０２の後、該方法はステップ１７０４に進む。
【０１５４】
ステップ１７０４は管理ステップである。ステップ１７０４では、第１の地域における二次システムのスペクトル利用情報により第１の地域における二次システムは第２の地域における一次システムに干渉しているか否かを判定する。
【０１５５】
ステップ１７０４の後、該方法はステップ１７０６に進む。
【０１５６】
ステップ１７０６は送信ステップである。ステップ１７０６では、第１の地域における二次システムが第２の地域における一次システムに干渉する場合、第１の地域における二次システムのスペクトル利用情報を修正する参考情報を第１の地域に送信する。
【０１５７】
図１７に示す方法は図１４に示す装置と対応する方法であるため、ここでそれを具体的に説明しない。
【０１５８】
以下、図１８を参照して本発明実施例に係る無線通信システムにおける装置の構成を説明する。図１８は本発明実施例に係る無線通信システムにおける装置の構成を示すブロック図である。
【０１５９】
図１８に示すように、無線通信システムにおける装置１８００は受信ユニット１８０２及び実行ユニット１８０４を備えてもよい。
【０１６０】
図１８に示すように、装置１８００における受信ユニット１８０２は第１の地域から、参考情報により修正された第１の地域における二次システムのスペクトル利用情報を受信してもよい。ここで、参考情報は、第１の地域は１つ又は複数の第２の地域の中の少なくとも幾つかから受信したものである。１つ又は複数の第２の地域の中の少なくとも幾つかは、それにおける一次システムは第１の地域における二次システムのスペクトル利用情報により第１の地域における二次システムに干渉されると判定される地域である。
【０１６１】
図１８に戻して参照すると、装置１８００における実行ユニット１８０４は、修正後の第１の地域における二次システムのスペクトル利用情報により第１の地域における二次システムのユーザ装置と通信することができる。
【０１６２】
以下、図１９を参照して本発明実施例に係る無線通信システムにおける装置の別の構成を説明する。図１９は本発明実施例に係る無線通信システムにおける装置の別の構成を示すブロック図である。
【０１６３】
図１９に示すように、無線通信システムにおける装置１９００は、受信ユニット１９０２、実行ユニット１９０４及び二次システムのスペクトル利用継続期間推定ユニット１９０６を備える。受信ユニット１９０２及び実行ユニット１９０４の構成は図１８に示す装置１８００における受信ユニット１８０２及び実行ユニット１８０４の構成とそれぞれ同じであるため、ここでそれらを具体的に説明しない。以下、装置１９００における二次システムのスペクトル利用継続期間推定ユニット１９０６を詳しく説明する。
【０１６４】
図１９に示すように、二次システムのスペクトル利用継続期間推定ユニット１９０６は、第１の地域における二次システムのスペクトル利用情報及び第１の地域における二次システムの応用タイプにより二次システムのスペクトル利用継続期間を推定することができる。
【０１６５】
以下、図２０を参照して本発明実施例に係る無線通信システムにおける装置の別の構成を説明する。図２０は本発明実施例に係る無線通信システムにおける装置の別の構成を示すブロック図である。
【０１６６】
図２０に示すように、無線通信システムにおける装置２０００は、受信ユニット２００２、実行ユニット２００４、二次システムのスペクトル利用継続期間推定ユニット２００６及び送信ユニット２００８を備える。受信ユニット２００２、実行ユニット２００４及び二次システムのスペクトル利用継続期間推定ユニット２００６の構成は、図１９に示す装置１９００における受信ユニット１９０２、実行ユニット１９０４及び二次システムのスペクトル利用継続期間推定ユニット１９０６の構成とそれぞれ同じであるため、ここでそれらを具体的に説明しない。以下、装置２０００における送信ユニット２００８を詳しく説明する。
【０１６７】
図２０に示すように、装置２０００における送信ユニット２００８は、推定された二次システムのスペクトル利用継続期間を第１の地域における一次システムに送信することができる。
【０１６８】
以下、図２１を参照して本発明実施例に係る無線通信システムにおける装置のさらに別の構成を説明する。図２１は本発明実施例に係る無線通信システムにおける装置のさらに別の構成を示すブロック図である。
【０１６９】
図２１に示すように、無線通信システムにおける装置２１００は、受信ユニット２１０２、実行ユニット２１０４、二次システムのスペクトル利用継続期間推定ユニット２１０６及び二次システムのスペクトル利用時間修正ユニット２１０８を備える。受信ユニット２１０２、実行ユニット２１０４及び二次システムのスペクトル利用継続期間推定ユニット２１０６の構成は、図１９に示す装置１９００における受信ユニット１９０２、実行ユニット１９０４及び二次システムのスペクトル利用継続期間推定ユニット１９０６の構成とそれぞれ同じであるため、ここでそれらを具体的に説明しない。以下、装置２１００における二次システムのスペクトル利用時間修正ユニット２１０８を詳しく説明する。
【０１７０】
図２１に示すように、装置２１００における二次システムのスペクトル利用時間修正ユニット２１０８は、二次システムのスペクトル利用継続期間又はスペクトル利用可能期限内において第１の地域における一次システム及び二次システムのスペクトル利用状況の変化により、第１の地域における二次システムのスペクトル利用を修正することができる。
【０１７１】
以下、図２２を参照して本発明の別の実施例に係る無線通信システムに用いる方法を説明する。図２２は本発明の別の実施例に係る無線通信システムに用いる方法を示すフローチャートである。
【０１７２】
図２２に示すように、該方法はステップ２２００から開始する。ステップ２２００の後、該方法はステップ２２０２に進む。
【０１７３】
ステップ２２０２は受信ステップである。ステップ２２０２では、第１の地域から、参考情報により修正された第１の地域における二次システムのスペクトル利用情報を受信する。ここで、参考情報は、第１の地域从１つ又は複数の第２の地域の中の少なくとも幾つかから受信したものであり、１つ又は複数の第２の地域の中の少なくとも幾つかは、それにおける一次システムは第１の地域における二次システムのスペクトル利用情報により第１の地域における二次システムに干渉されると判定される地域である。
【０１７４】
ステップ２２０２の後、該方法はステップ２２０４に進む。
【０１７５】
ステップ２２０４は実行ステップである。ステップ２２０４では、修正後の第１の地域における二次システムのスペクトル利用情報により第１の地域における二次システムのユーザ装置と通信する。
【０１７６】
図２２に示す方法は図１８に示す装置と対応する方法であるため、ここでそれを具体的に説明しない。
【０１７７】
以下、図２３を参照して本発明実施例に係る応用例を説明する。図２３は本発明実施例に係る応用例を示す概略図である。下記の実施例は例示的なものに過ぎず、限定的なものではない。
【０１７８】
図２３に示すように、地理的位置データベースＡは地理的位置計算装置１及び２を管理する。地理的位置計算装置１及び２はテレビジョン周波数帯域無線ネットワーク１、２及び３を管理する。テレビジョン周波数帯域無線ネットワーク４は地理的位置計算装置３に管理される。ここで、地理的位置データベースＡ及びＢは、２つの隣接する国又は地域である。地理的位置計算装置１及び２は同じ国又は地域内の異なる事業者である。地理的位置計算装置３は他の国の事業者である。
【０１７９】
現在の欧州の規制ではテレビジョン周波数帯域無線ネットワークの通信が規定されているように、無線ネットワークデータベースは自身の物理的な位置情報を地理的位置計算装置に送信し、そして、地理的位置計算装置は地理的位置データベースにおけるテレビジョンとラジオネットワークのスペクトル利用情報により、該位置で無線ネットワークが利用可能なスペクトルを算出する。無線ネットワークデータベースは、利用可能なスペクトルから無線通信用の周波数帯域を選択し、そして、所望の周波数帯域利用情報を地理的位置計算装置に送信する。そして、他の国又は地域内のテレビジョン周波数帯域無線ネットワーク１及び２をテレビジョン周波数帯域無線ネットワーク３に干渉させないように、二次システムの所望の周波数帯域利用情報により、最終の周波数帯域利用情報を修正する。
【０１８０】
また、本発明実施例は機械実行可能な命令をローディングしているプログラム製品をさらに提供する。前記命令を情報処理装置で実行する場合、前記命令により、前記情報処理装置は、上記本発明実施例に係る無線通信システムに用いる方法を実行する。
【０１８１】
また、本発明実施例は記憶媒体をさらに提供し、該記憶媒体は機械可読なプログラムコードを備える。情報処理装置で前記プログラムコードを実行する場合、前記プログラムコードにより、前記情報処理装置は、上記本発明実施例に係る無線通信システムに用いる方法を実行する。
【０１８２】
それに応じて、上記機械可読な命令コードを記憶しているプログラム製品をローディングしている記憶媒体も本発明の公開に含まれている。前記記憶媒体は、フロッピー（登録商標）ディスク、光ディスク、光磁気ディスク、メモリカード、メモリスティック等を含むが、それらに限らない。
【０１８３】
本発明実施例に係る無線通信システムにおける装置及びその構成要素はソフトウェア、ファームウェア、ハードウェア又はそれらの組み合わせにより構成されてもよい。構成する場合に利用可能な具体的な手段又は方式は、当業者に熟知しているため、ここでは詳細な説明は省略する。ソフトウェア又はファームウェアにより構成される場合は、記憶媒体又はネットワークから該ソフトウェアを構成するプログラムを専用ハードウェア構造を有する情報処理装置（例えば図２４に示す情報処理装置２４００）にインストールする。このコンピュータは各種のプログラムをインストールした後、各種の機能等を実現できる。
【０１８４】
図２４は本発明実施例を実施可能な情報処理装置の例示的なブロック図である。
【０１８５】
図２４に示すように、央処理ユニット（ＣＰＵ）２４０１は、読取専用記憶媒体（ＲＯＭ）２４０２に記憶されるプログラム又は記憶部２４０８からランダムアクセスメモリ（ＲＡＭ）２４０３にローディングされるプログラムにより各種の処理を実行する。ＲＡＭ２４０３は、必要に応じて、ＣＰＵ  ２４０１が各種の処理等を実行する場合に必要なデータを記憶する。ＣＰＵ  ２４０１、ＲＯＭ  ２４０２及びＲＡＭ  ２４０３は、バス２４０４を介して互いに接続される。入力／出力インタフェース２４０５もバス２４０４に接続される。
【０１８６】
入力部２４０６（キーボード、マウス等を含む）、出力部２４０７（例えば、陰極線管（ＣＲＴ）、液晶ディスプレイ（ＬＣＤ）等のディスプレイ、スピーカー等を含む）、記憶部２４０８（ハードウェア等を含む）、通信部２４０９（ネットワークインタフェースカード、例えば、ローカルエリアネットワーク（ＬＡＮ）カード、モデム等を含む）は、入力／出力インタフェース２４０５に接続される。通信部分２４０９は、ネットワーク、例えば、インターネットを介して通信処理を実行する。ドライバ２４１０は必要に応じて入力／出力インタフェース２４０５に接続されてもよい。リムーバブルメディア２４１１、例えば、磁気ディスク、光ディスク、光磁気ディスク、半導体記憶装置等は、必要に応じてドライバ２４１０に実装され、これにより、それから読み出されるコンピュータプログラムは必要に応じて記憶部２４０８にインストールされる。
【０１８７】
ソフトウェアにより上記一連の処理を実現する場合、ネットワーク、例えば、インターネット或いは、記憶媒体、例えば、リムーバブルメディア２４１１からソフトウェアを構成するプログラムをインストールしてもよい。
【０１８８】
ここで、このような記憶媒体は、図２４に示すプログラムが記憶され、ユーザにプログラムを提供するように装置から分離して配信するリムーバブルメディア２４１１に限らない。リムーバブルメディア２４１１は、例えば、磁気ディスク（フロッピーディスク（登録商標）を含む）、光ディスク（光ディスク読取専用記憶媒体（ＣＤ−ＲＯＭ）及びデジタル多用途ディスク（ＤＶＤ）を含む）、光磁気ディスク（ミニディスク（ＭＤ）（登録商標）を含む）及び半導体記憶装置を含む。或いは、記憶媒体は、ＲＯＭ２４０２、記憶部２４０８に含まれるハードディスク等であってもよく、プログラムを記憶しており、それらを含む装置とともにユーザに配信される。
【０１８９】
前記命令コードは機械に読み取って実行される場合、上記本発明実施例に係る無線通信システムに用いる方法を実行することができる。
【０１９０】
さらに、本改善は次のように構成されてもよい。
（１）
スペクトル管理システムであって、電気回路を備え、前記電気回路は、別のスペクトル管理システムから前記別のスペクトル管理システムに管理される通信システムの通信との干渉を示す干渉情報を取得するように構成され、前記干渉は前記スペクトル管理システムに管理される少なくとも１つの二次通信システムに引き起こされるものであり、前記電気回路は、前記干渉情報に基づき、前記少なくとも１つの二次通信システムの通信特性を修正するように構成される。
（２）
前記別のスペクトル管理システムに管理される通信システムは一次通信システムであり、前記干渉情報は、前記別のスペクトル管理システムに管理される一次通信システムのための情報を含む（１）に記載のスペクトル管理システム。
（３）
前記干渉情報は、前記別のスペクトル管理システムに管理される通信システムとの通信の集合干渉を示し、前記電気回路は、前記集合干渉を避けるように前記少なくとも１つの二次通信システムの通信特性を修正し、前記集合干渉は、前記少なくとも１つの二次通信システム及び前記スペクトル管理システムに管理されていない少なくとも１つの二次通信システムからの干渉の集合である（１）又は（２）に記載のスペクトル管理システム。
（４）
前記干渉情報は、前記スペクトル管理システムに管理されていない少なくとも１つの二次通信システムのための情報を含み、前記電気回路は、前記情報により前記通信特性を修正する（３）に記載のスペクトル管理システム。
（５）
前記干渉情報は前記少なくとも１つの二次通信システムの識別情報を含み、前記電気回路は前記識別情報を用いて前記少なくとも１つの二次通信システムを識別する（１）〜（４）の何れか１項に記載のスペクトル管理システム。
（６）
前記干渉情報は、前記少なくとも１つの二次通信システムの通信特性のための通信特性情報を含み、前記電気回路は、前記通信特性情報を用いて前記少なくとも１つの二次通信システムの通信特性を設定する（１）〜（５）の何れか１項に記載のスペクトル管理システム。
（７）
前記電気回路は、前記干渉情報に基づいて通信特性情報を算出し、前記通信特性情報を用いて前記少なくとも１つの二次通信システムの通信特性を設定する（１）〜（６）の何れか１項に記載のスペクトル管理システム。
（８）
前記電気回路は、さらに、前記別のスペクトル管理システムから受信した干渉情報を記憶回路に記憶するように構成される（１）〜（７）の何れか１項に記載のスペクトル管理システム。
（９）
前記電気回路は、さらに、前記少なくとも１つの二次通信システムに対応するスペクトル利用情報を前記別のスペクトル管理システムに伝送するように構成される（１）〜（８）の何れか１項に記載のスペクトル管理システム。
（１０）
スペクトル管理システムであって、電気回路を備え、前記電気回路は、さらに、前記スペクトル管理システムに管理される通信システムの通信との干渉を識別するように構成され、前記干渉は別のスペクトル管理システムに管理される少なくとも１つの二次通信システムに由来し、前記電気回路は、識別された干渉に基づいて干渉情報を生成し、前記干渉情報を前記別のスペクトル管理システムに提供するように構成される。
（１１）
前記スペクトル管理システムに管理される通信システムは一次通信システムである（１０）に記載のスペクトル管理システム。
（１２）
前記電気回路は、前記別のスペクトル管理システムに管理される少なくとも１つの二次通信システムに対応するスペクトル利用情報に基づき、前記干渉を識別する（１０）又は（１１）に記載のスペクトル管理システム。
（１３）
前記別のスペクトル管理システムから前記スペクトル利用情報を受信する（１２）に記載のスペクトル管理システム。
（１４）
前記電気回路は、さらに、前記別のスペクトル管理システムに管理される少なくとも１つの二次通信システムに用いる通信特性情報を算出し、前記通信特性情報を前記干渉情報の一部として前記別のスペクトル管理システムに伝送するように構成され、前記通信特性情報は、識別された干渉を避けるように前記別のスペクトル管理システムに管理される少なくとも１つの二次通信システムの通信特性を修正するための情報を含む（１２）又は（１３）に記載のスペクトル管理システム。
（１５）
前記電気回路は、さらに識別された干渉及び何れかのスペクトル管理システムに管理される少なくとも１つの二次通信システムのスペクトル利用情報を用いて集合干渉を確定し、前記集合干渉に基づいて前記干渉情報を生成するように構成される（１２）〜（１４）の何れか１つに記載のスペクトル管理システム。
（１６）
前記電気回路は、さらに、前記何れかのスペクトル管理システムに管理される少なくとも１つの二次通信システムの情報を前記干渉情報の一部として前記別のスペクトル管理システムに伝送するように構成される（１５）に記載のスペクトル管理システム。
（１７）
前記電気回路は、前記集合干渉に基づいて前記別のスペクトル管理システムに管理される二次通信システムに用いる通信特性情報を算出し、前記通信特性情報を前記干渉情報の一部として前記別のスペクトル管理システムに伝送するように構成され、前記通信特性情報は、前記別のスペクトル管理システムに管理される少なくとも１つの二次通信システムの通信特性に対する修正を示す（１５）〜（１６）の何れか１つに記載のスペクトル管理システム。
（１８）
前記電気回路は、さらに、前記干渉情報を記憶回路に記憶するように構成される（１０）〜（１７）の何れか１つに記載のスペクトル管理システム。
（１９）
スペクトル管理システムに用いる方法であって、前記スペクトル管理システムの電気回路を用いて、別のスペクトル管理システムから前記別のスペクトル管理システムに管理される通信システムの通信との干渉を示す干渉情報を取得し、前記干渉は、前記スペクトル管理システムに管理される少なくとも１つの二次通信システムに引き起こされるものであるステップと、前記干渉情報に基づき、前記少なくとも１つの二次通信システムの通信特性を修正するステップと、を備える。
（２０）
前記別のスペクトル管理システムに管理される通信システムは一次通信システムである（１９）に記載の方法。
（２１）
コンピュータ可読命令がコード化された非一時的なコンピュータ可読媒体であって、前記コンピュータ可読命令がコンピュータに実行される場合、前記コンピュータは（１９）〜（２０）の何れか１つに記載の方法を実行する。
（２２）
スペクトル管理システムに用いる方法であって、前記スペクトル管理システムの電気回路では、前記スペクトル管理システムに管理される通信システムの通信との干渉を識別し、前記干渉は別のスペクトル管理システムに管理される二次通信システムに由来するステップと、識別された干渉に基づいて干渉情報を生成し、前記干渉情報を前記別のスペクトル管理システムに提供するステップと、を備える。
（２３）
前記スペクトル管理システムに管理される通信システムは一次通信システムである（２２）に記載のスペクトル管理システムに用いる方法。
（２４）
コンピュータ可読命令がコード化された非一時的なコンピュータ可読媒体であって、前記コンピュータ可読命令がコンピュータに実行される場合、前記コンピュータは（２２）〜（２３）の何れか１つに記載の方法を実行する。
（２５）
無線通信システムにおける装置であって、１つ又は複数の第２の地域の中の少なくとも幾つかから第１の地域における二次システムのスペクトル利用情報を修正する参考情報を受信し、前記１つ又は複数の第２の地域の中の少なくとも幾つかは、それにおける一次システムは前記第１の地域における二次システムのスペクトル利用情報により前記第１の地域における二次システムに干渉されると判定される地域である受信ユニットと、受信した参考情報により、前記第１の地域における二次システムのスペクトル利用情報を修正する管理ユニットと、を備える。
（２６）
前記スペクトル利用情報は、実際のスペクトル利用情報及び利用可能スペクトル情報の中の少なくとも１つを備え、前記第１の地域における二次システムの利用可能スペクトル情報は、前記第１の地域における二次システムの地理的位置情報及び前記第１の地域における一次システムのサービス範囲情報により確定される（２５）に記載の装置。
（２７）
前記第１の地域における二次システムのスペクトル利用情報は、周波数帯域、帯域幅、送信電力及びスペクトル利用時間の中の少なくとも１つを備える（２５）〜（２６）の何れか１つに記載の装置。
（２８）
前記参考情報は、前記第１の地域における二次システムに干渉される、１つ又は複数の第２の地域における一次システムのサービス範囲情報、及び１つ又は複数の第２の地域における一次システムに干渉する二次システムの二次システム関連情報の中の少なくとも１つを備える（２５）〜（２７）の何れか１つに記載の装置。
（２９）
１つ又は複数の第２の地域における一次システムを前記第１の地域における二次システムに干渉させないように、前記第１の地域における二次システムに干渉される、１つ又は複数の第２の地域における一次システムの動作状况情報により、前記第１の地域における二次システムのスペクトル利用情報を修正し、前記第１の地域における二次システムに干渉される、１つ又は複数の第２の地域における一次システムは、１つ又は複数の第２の地域における一次システムのサービス範囲情報、及び前記第１の地域における二次システムのスペクトル利用情報により確定された前記第１の地域における二次システムの第１レベルの干渉範囲情報により確定される（２８）に記載の装置。
（３０）
前記１つ又は複数の第２の地域の中の少なくとも幾つかは、それにおける一次システムは前記第１の地域における二次システムのスペクトル利用情報、及び前記第１の地域における他の二次システム及び／又は前記１つ又は複数の第２の地域における二次システムのスペクトル利用情報により前記第１の地域における二次システムに集合干渉されると判定される地域である（２５）〜（２９）の何れか１つに記載の装置。
（３１）
１つ又は複数の第２の地域における一次システムを前記第１の地域における二次システムに集合干渉させないように、前記第１の地域における二次システムに集合干渉される、１つ又は複数の第２の地域における一次システムの動作状况情報、及び前記第１の地域における二次システムに集合干渉される、１つ又は複数の第２の地域における一次システムに干渉する二次システムの干渉状況情報により、前記第１の地域における二次システムのスペクトル利用情報を修正し、前記第１の地域における二次システムに集合干渉される、１つ又は複数の第２の地域における一次システムは１つ又は複数の第２の地域における一次システムのサービス範囲情報、及び前記第１の地域における二次システムのスペクトル利用情報に基づいて確定された前記第１の地域における二次システムの第２レベルの干渉範囲情報により確定されるものである（３０）に記載の装置。
（３２）
前記第１の地域における二次システムに集合干渉される、１つ又は複数の第２の地域における一次システムに干渉する二次システムの干渉状況情報は、前記第２の地域内の登録ユニットに記録される前記第２の地域における一次システムのサービス範囲内の異なる位置で受ける前記第２の地域における二次システム及び他の地域における二次システムからの干渉状況情報を問い合わせることで取得されるものである（３１）に記載の装置。
（３３）
前記第２の地域における二次システムからの干渉状況情報は、前記第２の地域における一次システムに対する前記第２の地域における二次システムの干渉量及び／又は前記第２の地域における二次システムのスペクトル利用時間を備え、他の地域における二次システムからの干渉状況情報は、前記他の地域の地域識別子及び他の地域における二次システムの二次システム識別子を備える（３２）に記載の装置。
（３４）
前記管理ユニットは、さらに、前記第１の地域における一次システムのスペクトル利用期限及び前記第１の地域における二次システムに干渉される、１つ又は複数の第２の地域における一次システムのスペクトル利用期限により、前記第１の地域における二次システムのスペクトル利用有効時間を確定する二次システムのスペクトル利用時間確定ユニットをさらに備える（２５）〜（３３）の何れか１つに記載の装置。
（３５）
前記受信ユニットは、さらに、前記第１の地域における二次システムから前記第１の地域における二次システムに推定される二次システムのスペクトル利用継続期間を受信し、前記二次システムのスペクトル利用時間確定ユニットは、さらに、前記二次システムのスペクトル利用時間確定ユニットにより確定された前記二次システム的スペクトル利用有効時間及び前記二次システムのスペクトル利用継続期間により前記第１の地域における二次システムのスペクトル利用時間を修正する（３４）に記載の装置。
（３６）
前記二次システムのスペクトル利用継続期間は、前記第１の地域における二次システムのスペクトル利用情報及び前記第１の地域における二次システムの応用タイプにより推定される（３５）に記載の装置。
（３７）
前記第１の地域における一次システムのサービス範囲内における異なる位置で受ける前記第１の地域における二次システム及び他の地域における二次システムからの干渉状況情報を記録する登録ユニットをさらに備える（２５）〜（３６）の何れか１つに記載の装置。
（３８）
前記第１の地域における二次システムからの干渉状況情報は、前記第１の地域における一次システムに対する前記第１の地域における二次システムの干渉量及び／又は前記第１の地域における二次システムのスペクトル利用時間を備え、他の地域における二次システムからの干渉状況情報は、前記他の地域の地域識別子及び他の地域における二次システムの二次システム識別子を備える（３７）に記載の装置。
（３９）
前記第１の地域は、さらに、前記第１の地域の地域識別子及び前記第１の地域における二次システムの二次システム識別子を１つ又は複数の第２の地域に送信する（２５）〜（３８）の何れか１つに記載の装置。
（４０）
前記第１の地域及び前記１つ又は複数の第２の地域における二次システムの伝送マスクの記述及びそれに対応する識別子を記憶する記憶ユニットをさらに備える（２５）〜（３９）の何れか１つに記載の装置。
（４１）
前記記憶ユニットに記憶される前記１つ又は複数の第２の地域における二次システムの伝送マスク又は周波数帯域の記述及びそれに対応する識別子により、１つ又は複数の第２の地域からの二次システムの伝送マスクの識別子を対応する二次システムの伝送マスクの記述に変換する変換ユニットをさらに備える（４０）に記載の装置。
（４２）
無線通信システムに用いる方法であって、１つ又は複数の第２の地域の中の少なくとも幾つかから第１の地域における二次システムのスペクトル利用情報を修正するための参考情報を受信し、前記１つ又は複数の第２の地域の中の少なくとも幾つかは、それにおける一次システムが前記第１の地域における二次システムのスペクトル利用情報により前記第１の地域における二次システムに干渉されると判定される地域である受信ステップと、受信した参考情報により、前記第１の地域における二次システムのスペクトル利用情報を修正する管理ステップと、を備える。
（４３）
無線通信システムにおける装置であって、第１の地域における二次システムのスペクトル利用情報を取得する取得ユニットと、前記第１の地域における二次システムのスペクトル利用情報により前記第１の地域における二次システムは第２の地域における一次システムに干渉しているか否かを判定する管理ユニットと、前記第１の地域における二次システムは前記第２の地域における一次システムに干渉する場合、前記第１の地域における二次システムのスペクトル利用情報を修正する参考情報を前記第１の地域に送信する送信ユニットと、を備える。
（４４）
前記参考情報は、前記第１の地域における二次システムに干渉される、第２の地域における一次システムのサービス範囲情報、第２の地域における一次システムに干渉する二次システムの二次システム関連情報の中の少なくとも１つを備える（４３）に記載の装置。
（４５）
第２の地域における一次システムのサービス範囲情報、及び前記第１の地域における二次システムのスペクトル利用情報に基づいて確定された前記第１の地域における二次システムの第１レベルの干渉範囲情報により、前記第１の地域における二次システムに干渉される、第２の地域における一次システムをサーチし、ここで、第２の地域における一次システムを前記第１の地域における二次システムに干渉させないように、前記第１の地域における二次システムに干渉される、第２の地域における一次システムの動作状况情報により、前記第１の地域における二次システムのスペクトル利用情報を修正する（４４）に記載の装置。
（４６）
前記管理ユニットは、前記第１の地域における二次システムのスペクトル利用情報、及び前記第１の地域における他の二次システム及び／又は１つ又は複数の前記第２の地域における二次システムのスペクトル利用情報により前記第１の地域における二次システムが前記第２の地域における一次システムに集合干渉しているか否かを判定する（４３）〜（４５）の何れかに記載の装置。
（４７）
第２の地域における一次システムのサービス範囲情報、及び前記第１の地域における二次システムのスペクトル利用情報により確定された前記第１の地域における二次システムの第２レベルの干渉範囲情報により、前記第１の地域における二次システムに集合干渉される、第２の地域における一次システムをサーチし、ここで、第２の地域における一次システムを前記第１の地域における二次システムに集合干渉させないように、前記第１の地域における二次システムに集合干渉される、第２の地域における一次システムの動作状况情報、及び前記第１の地域における二次システムに集合干渉される、第２の地域における一次システムに干渉する二次システムの干渉状況情報により、前記第１の地域における二次システムのスペクトル利用情報を修正する（４６）に記載の装置。
（４８）
前記第２の地域の登録ユニットに記録される前記第２の地域における一次システムのサービス範囲内における異なる位置で受ける前記第２の地域における二次システム及び他の地域における二次システムからの干渉状況情報を問い合わせることにより、前記第１の地域における二次システムに集合干渉される、第２の地域における一次システムに干渉する二次システムの干渉状況情報を取得する（４７）に記載の装置。
（４９）
前記第２の地域における二次システムからの干渉状況情報は、前記第２の地域における一次システムに対する前記第２の地域における二次システムの干渉量及び／又は前記第２の地域における二次システムのスペクトル利用時間を備え、他の地域における二次システムからの干渉状況情報は、前記他の地域の地域識別子及び他の地域における二次システムの二次システム識別子を備える（４８）に記載の装置。
（５０）
前記取得ユニットは、前記第１の地域の地域識別子及び前記第１の地域における二次システムの二次システム識別子をさらに取得する（４３）〜（４９）の何れか１項に記載の装置。
（５１）
前記第２の地域における一次システムのサービス範囲内において異なる位置で受ける前記第２の地域における二次システム及び他の地域における二次システムからの干渉状況情報を記録する登録ユニット（４３）〜（５０）の何れか１項に記載の装置。
（５２）
前記第２の地域における二次システムの干渉状況情報は、前記第２の地域における一次システムに対する前記第２の地域における二次システムの干渉量及び／又は前記第２の地域における二次システムのスペクトル利用時間を備え、他の地域における二次システムからの干渉状況情報は、前記他の地域の地域識別子及び他の地域における二次システムの二次システム識別子を備える（５１）に記載の装置。
（５３）
前記第１の地域及び前記第２の地域における二次システムの伝送マスクの記述及び対応する識別子を記憶する記憶ユニットをさらに備える（４３）〜（５２）の何れか１項に記載の装置。
（５４）
無線通信システムにおける方法であって、第１の地域における二次システムのスペクトル利用情報を取得する取得ステップと、前記第１の地域における二次システムのスペクトル利用情報により前記第１の地域における二次システムが第２の地域における一次システムに干渉しているか否かを判定する管理ステップと、前記第１の地域における二次システムは前記第２の地域における一次システムに干渉する場合、前記第１の地域における二次システムのスペクトル利用情報を修正する参考情報を前記第１の地域に送信する送信ステップと、を備える。
（５５）
無線通信システムにおける装置であって、前記第１の地域から、参考情報により修正された前記第１の地域における二次システムのスペクトル利用情報を受信し、前記参考情報は前記第１の地域が１つ又は複数の第２の地域の中の少なくとも幾つかから受信したものであり、前記１つ又は複数の第２の地域の中の少なくとも幾つかは、それにおける一次システムが前記第１の地域における二次システムのスペクトル利用情報により前記第１の地域における二次システムに干渉されると判定される地域である受信ユニットと、修正後の前記第１の地域における二次システムのスペクトル利用情報により前記第１の地域における二次システムのユーザ装置と通信する実行ユニットと、を備える。
（５６）
前記第１の地域における二次システムのスペクトル利用情報及び前記第１の地域における二次システムの応用タイプにより二次システムのスペクトル利用継続期間を推定する二次システムのスペクトル利用継続期間推定ユニット、をさらに備える（５４）に記載の装置。
（５７）
推定された二次システムのスペクトル利用継続期間を前記第１の地域に送信する送信ユニットをさらに備える（５６）に記載の装置。
（５８）
前記第１の地域における一次システム及び二次システムのスペクトル利用状況が前記二次システムのスペクトル利用継続期間又はスペクトル利用可能期限内での変化により、前記第１の地域における二次システムのスペクトル利用を修正する二次システムのスペクトル利用時間修正ユニットをさらに備える（５４）、（５６）及び（５７）の中の何れか１つに記載の装置。
（５９）
無線通信システムに用いる方法であって、前記第１の地域から、参考情報により修正された前記第１の地域における二次システムのスペクトル利用情報を受信し、前記参考情報は前記第１の地域が１つ又は複数の第２の地域の中の少なくとも幾つかから受信したものであり、前記１つ又は複数の第２の地域の少なくとも幾つかは、それにおける一次システムが前記第１の地域における二次システムのスペクトル利用情報により前記第１の地域における二次システムに干渉されると判定される地域である受信ステップと、修正後の前記第１の地域における二次システムのスペクトル利用情報により前記第１の地域における二次システムのユーザ装置と通信する実行ステップと、を備える。
【０１９１】
本発明の範囲及び趣旨から逸脱しない前提で当業者は様々な修正及び変形をすることができる。実施例の選択及び説明は、本発明の原理及び実際の応用を最適に解釈するためであり、当業者に理解させるためである。本発明は、要求の特定用途に適する各種の変化を有する各種の実施形態を有しても良い。
【図１】
2019024220.tif 000004
【図２】
2019024220.tif 000005
【図３】
2019024220.tif 000006
【図４】
2019024220.tif 000007
【図５】
2019024220.tif 000008
【図６】
2019024220.tif 000009
【図７】
2019024220.tif 000010
【図８】
2019024220.tif 000011
【図９】
2019024220.tif 000012
【図１０】
2019024220.tif 000013
【図１１】
2019024220.tif 000014
【図１２】
2019024220.tif 000015
【図１３】
2019024220.tif 000016
【図１４】
2019024220.tif 000017
【図１５】
2019024220.tif 000018
【図１６】
2019024220.tif 000019
【図１７】
2019024220.tif 000020
【図１８】
2019024220.tif 000021
【図１９】
2019024220.tif 000022
【図２０】
2019024220.tif 000023
【図２１】
2019024220.tif 000024
【図２２】
2019024220.tif 000025
【図２３】
2019024220.tif 000026
【図２４】
2019024220.tif 000027